(57)【特許請求の範囲】
【請求項１】
複数のユーザ端末のそれぞれと、前記ユーザ端末のユーザが掲載した掲載情報を保持するコミュニティサイトを提供するコミュニティシステムとに通信可能な友人紹介システムにおいて、
前記ユーザ端末を識別するユーザ情報と、前記コミュニティシステムにログインするためのログイン情報とを当該ユーザ端末から取得し、前記ユーザ端末のユーザの行先を示す行先情報を当該ユーザ端末または当該友人紹介システムから取得し、取得した前記ユーザ情報、前記ログイン情報および前記行先情報を、前記ユーザ端末毎にユーザ情報記録部へ記録するユーザ情報取得部と、
前記ログイン情報を用いて前記コミュニティシステムにアクセスして、前記ユーザ端末の前記ユーザが前記コミュニティサイトに掲載した掲載情報を取得し、前記ユーザ情報記録部に記録された行先情報、および、前記コミュニティサイトから取得した前記掲載情報に基づいて、前記ユーザ端末のユーザが前記行先へ向かう目的を検出し、検出した目的が示す目的情報を、前記ユーザ端末毎に目的情報記録部へ記録する目的判定部と、
前記ユーザ情報記録部に記録された行先情報、および、前記目的情報記録部に記録された目的情報に基づいて、友人の紹介を受けようとするユーザ端末のユーザと同じ行先であって、かつ、同じ目的を有するユーザ端末のユーザ情報を、友人候補として前記ユーザ情報記録部から抽出する友人候補抽出部と、
前記友人候補抽出部により友人候補として抽出されたユーザ端末のユーザ情報に基づいて、友人の紹介を受けようとするユーザ端末に、友人候補として抽出されたユーザ端末のユーザのプロフィールを示すプロフィール情報を提示させる友人候補紹介部とを備える、友人紹介システム。
【請求項２】
前記ユーザ情報取得部は、前記ユーザ端末のユーザが行先に到着すると予想される到着予想時刻、または、前記ユーザ端末のユーザが行先に到着した到着時刻をさらに取得し、取得した到着予想時刻または到着時刻を、前記ユーザ端末毎にユーザ情報記録部へ記録し、
前記友人候補抽出部は、前記ユーザ情報記録部に記録された到着予想時刻または到着時刻に基づいて、友人の紹介を受けようとするユーザ端末のユーザの到着予想時刻が示す時間帯と同じ時間帯を有する到着予想時刻または到着時刻に対応付けられたユーザ端末のユーザ情報を、友人候補として前記ユーザ情報記録部から抽出する、請求項１に記載の友人紹介システム。
【請求項３】
友人の紹介を受けようとするユーザ端末に、友人候補として抽出されたユーザ端末のユーザのプロフィール情報を提示してもよいか否かを問い合わせるための質問情報を、友人候補として抽出されたユーザ端末に送信し、かつ、前記問い合わせに対する回答として得られる紹介可否情報を、前記質問情報が送信されたユーザ端末から取得する問い合わせ部をさらに備え、
前記友人候補紹介部は、前記問い合わせ部により取得された紹介可否情報が、友人の紹介を受けようとするユーザ端末に、友人候補として抽出されたユーザ端末のユーザのプロフィール情報を提示してもよい旨を示している場合、友人の紹介を受けようとするユーザ端末に、友人候補として抽出されたユーザ端末のユーザのプロフィール情報を提示させる、請求項１または２に記載の友人紹介システム。
【請求項４】
前記目的判定部は、前記目的情報と、当該目的情報を含む掲載情報が前記サイトに掲載された時期を示す掲載時期情報とを対応付けて目的情報記録部へ記録し、
前記目的情報記録部に記録されたユーザ端末の目的情報が複数あった場合、前記複数の目的情報の中から、現在日時が示す時間種情報と同一の時間種情報である掲載時期情報に対応付けられた目的情報を、前記目的情報記録部から抽出する目的情報抽出部をさらに備え、
前記友人候補抽出部は、前記目的情報抽出部により抽出された目的情報に基づいて、友人の紹介を受けようとするユーザ端末のユーザと同じ目的を有するユーザ端末のユーザ情報を、友人候補として前記ユーザ情報記録部から抽出する、請求項１〜３のいずれか一項に記載の友人紹介システム。
【請求項５】
前記目的情報が前記掲載情報に出現する頻度を示す出現頻度を算出し、算出した出現頻度を、前記目的情報に対応付けて前記目的情報記録部へ記録する出現頻度算出部をさらに備え、
前記友人候補紹介部は、前記友人候補抽出部により友人候補として抽出されたユーザ端末のユーザ情報が複数あった場合、友人の紹介を受けようとするユーザ端末に、前記出現頻度の高い順に、友人候補として抽出されたユーザ端末のユーザのプロフィール情報を提示させる、請求項１〜４のいずれか一項に記載の友人紹介システム。
【請求項６】
前記ユーザ端末のユーザの自宅から行先までの経路を示す経路情報、および、当該経路情報に対応付けられており、当該行先を示す行先情報を複数組記録する経路情報記録部と、
前記ユーザ端末の現在位置を示す端末位置情報を所定時間毎に取得する位置情報取得部と、
前記位置情報取得部により取得された端末位置情報に基づいて、前記ユーザ端末のユーザの自宅から所定の位置までの経路を判定し、判定した経路と最も類似する経路情報に対応付けられた行先情報を、前記経路情報記録部から抽出する行先判定部とをさらに備え、
前記ユーザ情報取得部は、前記行先判定部により抽出された行先情報を取得する、請求項１〜５のいずれか一項に記載の友人紹介システム。
【請求項７】
友人の紹介を受けようとするユーザ端末のユーザが運転する車両の乗車人数を示す乗車人数情報を取得する乗車人数取得部をさらに備え、
前記友人候補紹介部は、前記乗車人数取得部により取得された乗車人数情報が、運転者である友人の紹介を受けようとするユーザ端末のユーザのみを示している場合、友人の紹介を受けようとするユーザ端末に、友人候補として抽出されたユーザ端末のユーザのプロフィール情報を提示させる、請求項１〜６のいずれか一項に記載の友人紹介システム。
【請求項８】
複数のユーザ端末のそれぞれと、前記ユーザ端末のユーザが掲載した掲載情報を保持するコミュニティサイトを提供するコミュニティシステムとに通信可能なコンピュータが実行する友人紹介方法において、
前記コンピュータが備えるユーザ情報取得部が、前記ユーザ端末を識別するユーザ情報と、前記コミュニティシステムにログインするためのログイン情報とを当該ユーザ端末から取得し、前記ユーザ端末のユーザの行先を示す行先情報を当該ユーザ端末または当該コンピュータから取得し、取得した前記ユーザ情報、前記ログイン情報および前記行先情報を、前記ユーザ端末毎にユーザ情報記録部へ記録するユーザ情報取得工程と、
前記コンピュータが備える目的判定部が、前記ログイン情報を用いて前記コミュニティシステムにアクセスして、前記ユーザ端末の前記ユーザが前記コミュニティサイトに掲載した掲載情報を取得し、前記ユーザ情報記録部に記録された行先情報、および、前記コミュニティサイトから取得した前記掲載情報に基づいて、前記ユーザ端末のユーザが前記行先へ向かう目的を検出し、検出した目的が示す目的情報を、前記ユーザ端末毎に目的情報記録部へ記録する目的判定工程と、
前記コンピュータが備える友人候補抽出部が、前記ユーザ情報記録部に記録された行先情報、および、前記目的情報記録部に記録された目的情報に基づいて、友人の紹介を受けようとするユーザ端末のユーザと同じ行先であって、かつ、同じ目的を有するユーザ端末のユーザ情報を、友人候補として前記ユーザ情報記録部から抽出する友人候補抽出工程と、
前記コンピュータが備える友人候補紹介部が、前記友人候補抽出工程により友人候補として抽出されたユーザ端末のユーザ情報に基づいて、友人の紹介を受けようとするユーザ端末に、友人候補として抽出されたユーザ端末のユーザのプロフィールを示すプロフィール情報を提示させる友人候補紹介工程とを含む、友人紹介方法。
【請求項９】
複数のユーザ端末のそれぞれと、前記ユーザ端末のユーザが掲載した掲載情報を保持するコミュニティサイトを提供するコミュニティシステムとに通信可能なコンピュータに処理を実行させる友人紹介プログラムにおいて、
前記ユーザ端末を識別するユーザ情報と、前記コミュニティシステムにログインするためのログイン情報とを当該ユーザ端末から取得し、前記ユーザ端末のユーザの行先を示す行先情報を当該ユーザ端末または当該コンピュータから取得し、取得した前記ユーザ情報、前記ログイン情報および前記行先情報を、前記ユーザ端末毎にユーザ情報記録部へ記録するユーザ情報取得処理と、
前記ログイン情報を用いて前記コミュニティシステムにアクセスして、前記ユーザ端末の前記ユーザが前記コミュニティサイトに掲載した掲載情報を取得し、前記ユーザ情報記録部に記録された行先情報、および、前記コミュニティサイトから取得した前記掲載情報に基づいて、前記ユーザ端末のユーザが前記行先へ向かう目的を検出し、検出した目的が示す目的情報を、前記ユーザ端末毎に目的情報記録部へ記録する目的判定処理と、
前記ユーザ情報記録部に記録された行先情報、および、前記目的情報記録部に記録された目的情報に基づいて、友人の紹介を受けようとするユーザ端末のユーザと同じ行先であって、かつ、同じ目的を有するユーザ端末のユーザ情報を、友人候補として前記ユーザ情報記録部から抽出する友人候補抽出処理と、
前記友人候補抽出処理により友人候補として抽出されたユーザ端末のユーザ情報に基づいて、友人の紹介を受けようとするユーザ端末に、友人候補として抽出されたユーザ端末のユーザのプロフィールを示すプロフィール情報を提示させる友人候補紹介処理とを前記コンピュータに実行させる、友人紹介プログラム。
【発明の詳細な説明】
【技術分野】
【０００１】
本発明は、複数のユーザ端末のそれぞれと、サイトを提供する提供システムとに通信可能な友人紹介システム、友人紹介方法、および、友人紹介プログラムに関し、より詳細には、友人の紹介を受けようとするユーザ端末のユーザに対して、友人候補となる他のユーザ端末のユーザを紹介する友人紹介システム、友人紹介方法、および、友人紹介プログラムに関する。
【背景技術】
【０００２】
近年、インターネット上で多数の人が、それぞれに自分のスペースを持ちながら、不特定人数の参加者と自由に会話を楽しみ、交流し、情報交換のできるコミュニティサイトが普及してきている。すなわち、コミュニティサイトは、利用者同士がメッセージのやり取り等を行って議論したり交流を行ったりする仮想的な場である「コミュニティ」を提供するＷｅｂサイトである。コミュニティサイトが提供するサービスとしては、例えば、ソーシャルネットワーキングサービス（ＳＮＳ）、電子掲示板、チャット、メーリングリスト等が挙げられる。
【０００３】
このようなコミュニティサイトを用いることにより、趣味、居住地域、出身校、会社、あるいは、友人の友人といった繋がりを通じて新たな人間関係を構築することが可能となる。例えば、検索キーワードとして趣味名および居住地域名を指定することにより、コミュニティサイトの日記から、同じ趣味を有し、かつ、近隣に在住する友人候補を検索することができる。つまり、コミュニティサイトの日記から、同じ趣味を有し、かつ、近隣に在住する友人になれそうな人を抽出することができる。しかしながら、多数の友人候補が見付かった場合、見付かった多数の友人候補の日記を全て読むことにより、友人になれそうな人を抽出する必要があるため、手間がかかる。
【０００４】
そこで、偶然近くに居るというチャンスを逃がさずに、フェイス・ツー・フェイスの出会いを実現できるシステムが従来から知られている（例えば、特許文献１参照）。具体的には、自己のデータと、自己が出会いたい人・自己が連絡したい人に関するデータとをユーザ端末に記録する。ユーザ端末は、記録された自己のデータを外部に発信する。ユーザ端末は、他のユーザ端末から発信された相手側のデータ（他のユーザ端末から見た場合、自己のデータ）を受信した場合、受信した相手側のデータと、ユーザ端末に記録された自己が出会いたい人・自己が連絡したい人に関するデータとを比較する。相手側のデータと、自己が出会いたい人・自己が連絡したい人に関するデータとが一致すれば、ユーザ端末の告知手段に一致したことを報知する。これにより、従来のシステムでは、比較的近くの場所に居合わせた人同士が、友人になれる機会を支援することが可能となる。
【特許文献１】特開２０００−１６７２３３号公報
【発明の開示】
【発明が解決しようとする課題】
【０００５】
しかしながら、上記従来のシステムでは、ユーザ端末に、自己のデータと、自己が出会いたい人・自己が連絡したい人に関するデータとを記録する必要があるため、ユーザ端末のユーザにとって手間がかかる。また、コミュニティサイトを用いた場合も同様に、コミュニティサイトに登録されている他のユーザの日記の内容等を逐一参照して、自分と友達になれそうな他のユーザを探し出す必要があるため、手間がかかる。
【０００６】
本発明は、上記の問題点に鑑みてなされたものであり、その目的は、ユーザ端末のユーザの手間をかけることなく、ユーザ端末のユーザの行先および行先へ向かう目的に応じて、ユーザ端末のユーザに、友人候補となる他のユーザ端末のユーザを紹介することができる友人紹介システム、友人紹介方法、および、友人紹介プログラムを提供することにある。
【課題を解決するための手段】
【０００７】
上記目的を達成するために本発明における友人紹介システムは、複数のユーザ端末のそれぞれと、サイトを提供する提供システムとに通信可能な友人紹介システムにおいて、前記ユーザ端末を識別するユーザ情報を当該ユーザ端末から取得し、前記ユーザ端末のユーザの行先を示す行先情報を当該ユーザ端末または当該友人紹介システムから取得し、取得したユーザ情報および行先情報を、前記ユーザ端末毎にユーザ情報記録部へ記録するユーザ情報取得部と、前記ユーザ情報記録部に記録された行先情報、および、前記ユーザ端末のユーザが前記サイトに掲載した掲載情報に基づいて、前記ユーザ端末のユーザが行先へ向かう目的を検出し、検出した目的が示す目的情報を、前記ユーザ端末毎に目的情報記録部へ記録する目的判定部と、前記ユーザ情報記録部に記録された行先情報、および、前記目的情報記録部に記録された目的情報に基づいて、友人の紹介を受けようとするユーザ端末のユーザと同じ行先であって、かつ、同じ目的を有するユーザ端末のユーザ情報を、友人候補として前記ユーザ情報記録部から抽出する友人候補抽出部と、前記友人候補抽出部により友人候補として抽出されたユーザ端末のユーザ情報に基づいて、友人の紹介を受けようとするユーザ端末に、友人候補として抽出されたユーザ端末のユーザのプロフィールを示すプロフィール情報を提示させる友人候補紹介部とを備える。
【０００８】
本発明の友人紹介システムによれば、ユーザ情報取得部は、ユーザ端末を識別するユーザ情報を当該ユーザ端末から取得する。また、ユーザ情報取得部は、ユーザ端末のユーザの行先を示す行先情報を当該ユーザ端末または当該友人紹介システムから取得する。なお、ユーザ端末は、例えば、携帯電話、ＰＨＳ（Personal Handyphone System）、ＰＤＡ（Personal Digital Assistant）、ＨＨＴ（Hand Held Terminal）、あるいは、ナビゲーション装置等である。ユーザ情報取得部は、取得したユーザ情報および行先情報を、ユーザ端末毎にユーザ情報記録部へ記録する。目的判定部は、ユーザ情報記録部に記録された行先情報、および、ユーザ端末のユーザがサイトに掲載した掲載情報に基づいて、ユーザ端末のユーザが行先へ向かう目的を検出する。目的判定部は、検出した目的が示す目的情報を、ユーザ端末毎に目的情報記録部へ記録する。
【０００９】
ここで、友人の紹介を受けようとするユーザ端末のユーザと同じ行先であって、かつ、同じ目的を有するユーザ端末のユーザであれば、友人の紹介を受けようとするユーザ端末のユーザと友人になれる可能性が高い。このため、友人候補抽出部は、ユーザ情報記録部に記録された行先情報、および、目的情報記録部に記録された目的情報に基づいて、友人の紹介を受けようとするユーザ端末のユーザと同じ行先であって、かつ、同じ目的を有するユーザ端末のユーザ情報を、友人候補としてユーザ情報記録部から抽出する。友人候補紹介部は、友人候補として抽出されたユーザ端末のユーザ情報に基づいて、友人の紹介を受けようとするユーザ端末に、友人候補として抽出されたユーザ端末のユーザのプロフィールを示すプロフィール情報を提示させる。これにより、ユーザ端末のユーザの手間をかけることなく、ユーザ端末のユーザの行先および行先へ向かう目的に応じて、ユーザ端末のユーザに、友人候補となる他のユーザ端末のユーザを紹介することができる。
【００１０】
上記本発明における友人紹介システムにおいては、前記ユーザ情報取得部は、前記ユーザ端末のユーザが行先に到着すると予想される到着予想時刻、または、前記ユーザ端末のユーザが行先に到着した到着時刻をさらに取得し、取得した到着予想時刻または到着時刻を、前記ユーザ端末毎にユーザ情報記録部へ記録し、前記友人候補抽出部は、前記ユーザ情報記録部に記録された到着予想時刻または到着時刻に基づいて、友人の紹介を受けようとするユーザ端末のユーザの到着予想時刻が示す時間帯と同じ時間帯を有する到着予想時刻または到着時刻に対応付けられたユーザ端末のユーザ情報を、友人候補として前記ユーザ情報記録部から抽出する態様とするのが好ましい。
【００１１】
上記構成によれば、ユーザ情報取得部は、ユーザ端末のユーザが行先に到着すると予想される到着予想時刻、または、ユーザ端末のユーザが行先に到着した到着時刻をさらに取得する。ユーザ情報取得部は、取得した到着予想時刻または到着時刻を、ユーザ端末毎にユーザ情報記録部へ記録する。友人候補抽出部は、ユーザ情報記録部に記録された到着予想時刻または到着時刻に基づいて、友人の紹介を受けようとするユーザ端末のユーザの到着予想時刻が示す時間帯と同じ時間帯を有する到着予想時刻または到着時刻に対応付けられたユーザ端末のユーザ情報を、友人候補としてユーザ情報記録部から抽出する。つまり、友人の紹介を受けようとするユーザ端末のユーザが行先に到着すると予想される時間帯と同じ時間帯に当該行先に到着している、あるいは、当該行先に到着する予定のユーザ端末のユーザであれば、友人の紹介を受けようとするユーザ端末のユーザと同じ行先で確実に出会うことができる。
【００１２】
上記本発明における友人紹介システムにおいては、友人の紹介を受けようとするユーザ端末に、友人候補として抽出されたユーザ端末のユーザのプロフィール情報を提示してもよいか否かを問い合わせるための質問情報を、友人候補として抽出されたユーザ端末に送信し、かつ、前記問い合わせに対する回答として得られる紹介可否情報を、前記質問情報が送信されたユーザ端末から取得する問い合わせ部をさらに備え、前記友人候補紹介部は、前記問い合わせ部により取得された紹介可否情報が、友人の紹介を受けようとするユーザ端末に、友人候補として抽出されたユーザ端末のユーザのプロフィール情報を提示してもよい旨を示している場合、友人の紹介を受けようとするユーザ端末に、友人候補として抽出されたユーザ端末のユーザのプロフィール情報を提示させる態様とするのが好ましい。
【００１３】
上記構成によれば、問い合わせ部は、友人候補として抽出されたユーザ端末に質問情報を送信する。問い合わせ部は、質問情報が送信されたユーザ端末から紹介可否情報を取得する。問い合わせ部により取得された紹介可否情報が、友人の紹介を受けようとするユーザ端末に、友人候補として抽出されたユーザ端末のユーザのプロフィール情報を提示してもよい旨を示している場合、友人候補紹介部は、友人の紹介を受けようとするユーザ端末に、友人候補として抽出されたユーザ端末のユーザのプロフィール情報を提示させる。これにより、友人候補として抽出されたユーザ端末のユーザの同意が得られた場合に、友人の紹介を受けようとするユーザ端末に、友人候補として抽出されたユーザ端末のユーザのプロフィール情報を提示させることができる。
【００１４】
上記本発明における友人紹介システムにおいては、前記ユーザ端末のユーザの自宅から行先までの経路を示す経路情報、および、当該経路情報に対応付けられており、当該行先を示す行先情報を複数組記録する経路情報記録部と、前記ユーザ端末の現在位置を示す端末位置情報を所定時間毎に取得する位置情報取得部と、前記位置情報取得部により取得された端末位置情報に基づいて、前記ユーザ端末のユーザの自宅から所定の位置までの経路を判定し、判定した経路と最も類似する経路情報に対応付けられた行先情報を、前記経路情報記録部から抽出する行先判定部とをさらに備え、前記ユーザ情報取得部は、前記行先判定部により抽出された行先情報を取得する態様とするのが好ましい。
【００１５】
上記構成によれば、経路情報記録部には、ユーザ端末のユーザの自宅から行先までの経路を示す経路情報、および、当該経路情報に対応付けられており、当該行先を示す行先情報が複数組記録されている。位置情報取得部は、ユーザ端末の現在位置を示す端末位置情報を所定時間毎に取得する。行先判定部は、位置情報取得部により取得された端末位置情報に基づいて、ユーザ端末のユーザの自宅から所定の位置までの経路を判定する。行先判定部は、判定した経路と最も類似する経路情報に対応付けられた行先情報を、経路情報記録部から抽出する。これにより、例えば、ユーザ端末がナビゲーション装置であった場合、ユーザ端末に、ユーザ端末のユーザが行先情報を設定しなくとも、行先判定部は、ユーザ端末のユーザの行先情報を、経路情報記録部から抽出することができる。また、例えば、ユーザ端末がナビゲーション機能を備えていない携帯端末であっても、行先判定部は、ユーザ端末のユーザの行先情報を、経路情報記録部から抽出することができる。この結果、ユーザ情報取得部は、抽出された行先情報を取得することができる。
【００１６】
上記本発明における友人紹介システムにおいては、前記目的情報記録部に記録されたユーザ端末の目的情報が複数あった場合、前記複数の目的情報が示す複数の目的の中から、前記ユーザ端末のユーザが行先へ向かう目的を当該ユーザに選択させるための選択情報を、当該ユーザ端末に提示させる目的選択提示部をさらに備え、前記友人候補抽出部は、前記ユーザ端末のユーザにより選択された目的が示す目的情報に基づいて、友人の紹介を受けようとするユーザ端末のユーザと同じ目的を有するユーザ端末のユーザ情報を、友人候補として前記ユーザ情報記録部から抽出する態様とするのが好ましい。
【００１７】
上記構成によれば、目的選択提示部は、複数の目的情報が示す複数の目的の中から、ユーザ端末のユーザが行先へ向かう目的を当該ユーザに選択させるための選択情報を、当該ユーザ端末に提示させる。これにより、ユーザ端末のユーザは、複数の目的の中から、ユーザ端末のユーザが行先へ向かう目的を選択することができる。この結果、友人候補抽出部は、ユーザ端末のユーザにより選択された目的が示す目的情報に基づいて、友人の紹介を受けようとするユーザ端末のユーザと同じ目的を有するユーザ端末のユーザ情報を、友人候補としてユーザ情報記録部から抽出することができる。
【００１８】
上記本発明における友人紹介システムにおいては、前記目的判定部は、前記目的情報と、当該目的情報を含む掲載情報が前記サイトに掲載された時期を示す掲載時期情報とを対応付けて目的情報記録部へ記録し、前記目的情報記録部に記録されたユーザ端末の目的情報が複数あった場合、前記複数の目的情報の中から、現在日時が示す時間種情報と同一の時間種情報である掲載時期情報に対応付けられた目的情報を、前記目的情報記録部から抽出する目的情報抽出部をさらに備え、前記友人候補抽出部は、前記目的情報抽出部により抽出された目的情報に基づいて、友人の紹介を受けようとするユーザ端末のユーザと同じ目的を有するユーザ端末のユーザ情報を、友人候補として前記ユーザ情報記録部から抽出する態様とするのが好ましい。
【００１９】
上記構成によれば、目的情報抽出部は、複数の目的情報の中から、現在日時が示す時間種情報と同一の時間種情報である掲載時期情報に対応付けられた目的情報を、目的情報記録部から抽出する。なお、時間種情報は、ある特定の属性を有する期間の呼び名を表す情報である。例えば、時間種情報には、時間帯、朝、昼、夕方、夜、午前、午後、曜日、平日、祝日、寒の入り、五十日（ごとび：日付に５または１０が含まれる日）、週末、月、盆、暮れ、正月、クリスマス、春、夏、秋、冬、花粉症の季節、ゴールデンウィーク、給料日、新月、満月、熱帯夜、大安、仏滅等が挙げられる。これにより、ユーザ端末のユーザが行先へ向かう目的を、時間種情報から判別することができる。この結果、友人候補抽出部は、目的情報抽出部により抽出された目的情報に基づいて、友人の紹介を受けようとするユーザ端末のユーザと同じ目的を有するユーザ端末のユーザ情報を、友人候補としてユーザ情報記録部から抽出することができる。
【００２０】
上記本発明における友人紹介システムにおいては、前記ユーザ端末のユーザの所持品の情報を示す所持品情報を取得する所持品情報取得部と、前記目的情報記録部に記録されたユーザ端末の目的情報が複数あった場合、前記複数の目的情報の中から、前記所持品情報取得部により取得された所持品情報に対応する目的情報を、前記目的情報記録部から抽出する目的情報抽出部をさらに備え、前記友人候補抽出部は、前記目的情報抽出部により抽出された目的情報に基づいて、友人の紹介を受けようとするユーザ端末のユーザと同じ目的を有するユーザ端末のユーザ情報を、友人候補として前記ユーザ情報記録部から抽出する態様とするのが好ましい。
【００２１】
上記構成によれば、目的情報抽出部は、複数の目的情報の中から、所持品情報取得部により取得された所持品情報に対応する目的情報を、目的情報記録部から抽出する。これにより、ユーザ端末のユーザが行先へ向かう目的を、所持品情報から判別することができる。例えば、「サーフィン」、「海水浴」の２つの目的情報があった場合、所持品情報が「サーフ・ボード」、「サーフィン用のウェア」を示していれば、目的情報抽出部は、所持品情報「サーフ・ボード」、「サーフィン用のウェア」に対応する目的情報「サーフィン」を、目的情報記録部から抽出することができる。この結果、友人候補抽出部は、目的情報抽出部により抽出された目的情報に基づいて、友人の紹介を受けようとするユーザ端末のユーザと同じ目的を有するユーザ端末のユーザ情報を、友人候補としてユーザ情報記録部から抽出することができる。
【００２２】
上記本発明における友人紹介システムにおいては、前記目的情報が前記掲載情報に出現する頻度を示す出現頻度を算出し、算出した出現頻度を、前記目的情報に対応付けて前記目的情報記録部へ記録する出現頻度算出部をさらに備え、前記友人候補紹介部は、前記友人候補抽出部により友人候補として抽出されたユーザ端末のユーザ情報が複数あった場合、友人の紹介を受けようとするユーザ端末に、前記出現頻度の高い順に、友人候補として抽出されたユーザ端末のユーザのプロフィール情報を提示させる態様とするのが好ましい。
【００２３】
上記構成によれば、出現頻度算出部は、目的情報が掲載情報に出現する頻度を示す出現頻度を算出する。出現頻度算出部は、算出した出現頻度を、目的情報に対応付けて目的情報記録部へ記録する。ここで、出現頻度が高ければ、ユーザ端末のユーザは、行先へ向かう目的を頻繁にサイトに掲載している。例えば、行先が「湘南海岸」であって、行先へ向かう目的が「サーフィン」である場合、ユーザ端末のユーザが「サーフィン」を繰り返しサイトに掲載していれば、ユーザ端末のユーザは、「サーフィン」に非常に興味を持っているユーザであるといえる。つまり、このようなユーザ端末のユーザであれば、友人の紹介を受けようとするユーザ端末のユーザと友人になれる可能性が高い。このため、友人候補紹介部は、友人の紹介を受けようとするユーザ端末に、出現頻度の高い順に、友人候補として抽出されたユーザ端末のユーザのプロフィール情報を提示させる。これにより、友人の紹介を受けようとするユーザ端末のユーザは、友人になれる可能性の高いユーザからプロフィール情報を閲覧することができる。
【００２４】
上記本発明における友人紹介システムにおいては、友人候補として抽出されたユーザ端末のユーザの評価を問い合わせるための質問情報を、友人の紹介を受けようとするユーザ端末に送信し、かつ、前記問い合わせに対する回答として得られる評価情報を、前記質問情報が送信されたユーザ端末から取得する評価情報取得部をさらに備え、前記友人候補紹介部は、前記友人候補抽出部により友人候補として抽出されたユーザ端末のユーザ情報が複数あった場合、友人の紹介を受けようとするユーザ端末に、前記評価情報の高い順に、友人候補として抽出されたユーザ端末のユーザのプロフィール情報を提示させる態様とするのが好ましい。
【００２５】
上記構成によれば、評価情報取得部は、友人候補として抽出されたユーザ端末のユーザの評価を問い合わせるための質問情報を、友人の紹介を受けようとするユーザ端末に送信する。また、評価情報取得部は、問い合わせに対する回答として得られる評価情報を、質問情報が送信されたユーザ端末から取得する。ここで、評価情報の高いユーザ端末のユーザは、他のユーザ端末のユーザと友人になった可能性が高い。つまり、評価情報の高いユーザは、他のユーザ端末のユーザと友人になり易いユーザであるといえる。このため、友人候補紹介部は、友人の紹介を受けようとするユーザ端末に、評価情報の高い順に、友人候補として抽出されたユーザ端末のユーザのプロフィール情報を提示させる。これにより、友人の紹介を受けようとするユーザ端末のユーザは、友人になれる可能性の高いユーザからプロフィール情報を閲覧することができる。
【００２６】
上記本発明における友人紹介システムにおいては、友人の紹介を受けようとするユーザ端末のユーザが運転する車両の乗車人数を示す乗車人数情報を取得する乗車人数取得部をさらに備え、前記友人候補紹介部は、前記乗車人数取得部により取得された乗車人数情報が、運転者である友人の紹介を受けようとするユーザ端末のユーザのみを示している場合、友人の紹介を受けようとするユーザ端末に、友人候補として抽出されたユーザ端末のユーザのプロフィール情報を提示させる態様とするのが好ましい。
【００２７】
上記構成によれば、乗車人数取得部は、友人の紹介を受けようとするユーザ端末のユーザが運転する車両の乗車人数を示す乗車人数情報を取得する。ここで、車両の乗車人数が複数であれば、車両に乗車している人間は、互いに家族、友人、または、恋人同士である。このため、このような場合、友人候補紹介部は、ユーザ端末のユーザに、友人候補となる他のユーザ端末のユーザを紹介しない。一方、車両の乗車人数が運転者のみであれば、この運転者は、１人で行先へ向かっている。このため、このような場合、友人候補紹介部は、友人の紹介を受けようとするユーザ端末に、友人候補として抽出されたユーザ端末のユーザのプロフィール情報を提示させる。これにより、友人候補紹介部は、車両の乗車人数が運転者のみの場合、友人の紹介を受けようとするユーザ端末に、友人候補として抽出されたユーザ端末のユーザのプロフィール情報を提示させることができる。
【００２８】
上記本発明における友人紹介システムにおいては、前記提供システムは、コミュニティサイトを提供するコミュニティシステムであって、友人候補として抽出されたユーザ端末のユーザと友人になったか否かを問い合わせるための質問情報を、友人の紹介を受けようとするユーザ端末に送信し、かつ、前記問い合わせに対する回答として得られる友人結果情報を、前記質問情報が送信されたユーザ端末から取得する友人結果情報取得部と、前記友人結果情報取得部により取得された友人結果情報が、友人候補として抽出されたユーザ端末のユーザと友人になったことを示している場合、友人の紹介を受けようとするユーザ端末のユーザと、友人候補として抽出されたユーザ端末のユーザとが、前記コミュニティサイト内において互いに友人関係になるように、前記コミュニティシステムに対して指示する友人登録部とをさらに備える態様とするのが好ましい。
【００２９】
上記構成によれば、友人結果情報取得部は、友人候補として抽出されたユーザ端末のユーザと友人になったか否かを問い合わせるための質問情報を、友人の紹介を受けようとするユーザ端末に送信する。また、友人結果情報取得部は、問い合わせに対する回答として得られる友人結果情報を、質問情報が送信されたユーザ端末から取得する。友人結果情報が友人候補として抽出されたユーザ端末のユーザと友人になったことを示している場合、友人登録部は、友人の紹介を受けようとするユーザ端末のユーザと、友人候補として抽出されたユーザ端末のユーザとが、コミュニティサイト内において互いに友人関係になるように、コミュニティシステムに対して指示する。これにより、コミュニティサイト内において、友人の紹介を受けようとするユーザ端末のユーザと、友人候補として抽出されたユーザ端末のユーザとが互いに友人関係となるので、例えば、閲覧制限された日記やアルバムの内容、プロフィール情報のうち誕生日や職業等の一部の項目を互いに閲覧することができる。
【００３０】
上記本発明における友人紹介システムにおいては、前記提供システムは、コミュニティサイトを提供するコミュニティシステムであって、友人候補として抽出されたユーザ端末のユーザと前記コミュニティサイト内でコミュニティを構築するか否かを問い合わせるための質問情報を、友人の紹介を受けようとするユーザ端末に送信し、かつ、前記問い合わせに対する回答として得られる構築可否情報を、前記質問情報が送信されたユーザ端末から取得する構築可否情報取得部と、前記構築可否情報取得部により取得された構築可否情報が、友人候補として抽出されたユーザ端末のユーザと前記コミュニティサイト内でコミュニティを構築することを示している場合、前記コミュニティサイト内において、友人の紹介を受けようとするユーザ端末のユーザと、友人候補として抽出されたユーザ端末のユーザとの間でコミュニティが構築されるように、前記コミュニティシステムに対して指示するコミュニティ構築部とをさらに備える態様とするのが好ましい。
【００３１】
上記構成によれば、構築可否情報取得部は、友人候補として抽出されたユーザ端末のユーザとコミュニティサイト内でコミュニティを構築するか否かを問い合わせるための質問情報を、友人の紹介を受けようとするユーザ端末に送信する。また、構築可否情報取得部は、問い合わせに対する回答として得られる構築可否情報を、質問情報が送信されたユーザ端末から取得する。構築可否情報が友人候補として抽出されたユーザ端末のユーザとコミュニティサイト内でコミュニティを構築することを示している場合、コミュニティ構築部は、コミュニティサイト内において、友人の紹介を受けようとするユーザ端末のユーザと、友人候補として抽出されたユーザ端末のユーザとの間でコミュニティが構築されるように、コミュニティシステムに対して指示する。これにより、コミュニティサイト内において、友人の紹介を受けようとするユーザ端末のユーザと、友人候補として抽出されたユーザ端末のユーザとの間でコミュニティが構築されるので、例えば、掲示板（トピック）やリアルタイムチャット等を互いに利用することができる。
【００３２】
上記本発明における友人紹介システムにおいては、前記友人候補紹介部は、友人の紹介を受けようとするユーザ端末のユーザ情報に基づいて、友人候補として抽出されたユーザ端末に、友人の紹介を受けようとするユーザ端末のユーザのプロフィール情報を提示させる態様とするのが好ましい。
【００３３】
上記構成によれば、友人候補紹介部は、友人の紹介を受けようとするユーザ端末に、友人候補として抽出されたユーザ端末のユーザのプロフィール情報を提示させるだけでなく、友人候補として抽出されたユーザ端末にも、友人の紹介を受けようとするユーザ端末のユーザのプロフィール情報を提示させる。これにより、友人の紹介を受けようとするユーザ端末のユーザと友人候補として抽出されたユーザ端末のユーザとは、共に、互いのプロフィール情報を知ることができる。
【００３４】
上記本発明における友人紹介システムにおいては、前記友人候補紹介部が、友人候補として抽出されたユーザ端末に、友人の紹介を受けようとするユーザ端末のユーザのプロフィール情報を提示させた後に、友人の紹介を受けようとするユーザ端末のユーザが行先を変更した場合、前記ユーザ情報取得部は、前記変更した行先を示す行先情報を取得し、前記ユーザ情報取得部により取得された行先情報に基づいて、友人候補として抽出されたユーザ端末に、友人の紹介を受けようとするユーザ端末のユーザが行先を変更したことを示す行先変更情報を提示させる行先変更提示部をさらに備える態様とするのが好ましい。
【００３５】
上記構成によれば、行先変更提示部は、ユーザ情報取得部により取得された行先情報に基づいて、友人候補として抽出されたユーザ端末に、友人の紹介を受けようとするユーザ端末のユーザが行先を変更したことを示す行先変更情報を提示させる。これにより、友人候補として抽出されたユーザ端末のユーザは、友人の紹介を受けようとするユーザ端末のユーザが行先を変更したことを知ることができる。
【００３６】
上記本発明における友人紹介システムにおいては、前記友人候補紹介部が、友人候補として抽出されたユーザ端末に、友人の紹介を受けようとするユーザ端末のユーザのプロフィール情報を提示させた後に、友人の紹介を受けようとするユーザ端末のユーザが行先を変更した頻度を示す変更頻度を算出し、算出した変更頻度を、前記ユーザ情報に対応付けて変更頻度記録部へ記録する変更頻度算出部をさらに備え、前記友人候補紹介部は、前記友人候補抽出部により友人候補として抽出されたユーザ端末のユーザ情報が複数あった場合、友人の紹介を受けようとするユーザ端末に、前記変更頻度の低い順に、友人候補として抽出されたユーザ端末のユーザのプロフィール情報を提示させる態様とするのが好ましい。
【００３７】
上記構成によれば、変更頻度算出部は、友人候補紹介部が、友人候補として抽出されたユーザ端末に、友人の紹介を受けようとするユーザ端末のユーザのプロフィール情報を提示させた後に、友人の紹介を受けようとするユーザ端末のユーザが行先を変更した頻度を示す変更頻度を算出する。変更頻度算出部は、算出した変更頻度を、ユーザ情報に対応付けて変更頻度記録部へ記録する。ここで、変更頻度が高ければ、友人の紹介を受けようとするユーザ端末のユーザは、頻繁に行先を変更している。つまり、友人の紹介を受けようとするユーザ端末のユーザは、いたずら目的で友人紹介システムを利用しているといえる。このため、友人候補紹介部は、友人の紹介を受けようとするユーザ端末に、変更頻度の低い順に、友人候補として抽出されたユーザ端末のユーザのプロフィール情報を提示させる。これにより、友人の紹介を受けようとするユーザ端末のユーザは、友人紹介システムをまじめに利用しようとするユーザからプロフィール情報を閲覧することができる。
【００３８】
上記目的を達成するために本発明における友人紹介方法は、複数のユーザ端末のそれぞれと、サイトを提供する提供システムとに通信可能なコンピュータが実行する友人紹介方法において、前記コンピュータが備えるユーザ情報取得部が、前記ユーザ端末を識別するユーザ情報を当該ユーザ端末から取得し、前記ユーザ端末のユーザの行先を示す行先情報を当該ユーザ端末または当該コンピュータから取得し、取得したユーザ情報および行先情報を、前記ユーザ端末毎にユーザ情報記録部へ記録するユーザ情報取得工程と、前記コンピュータが備える目的判定部が、前記ユーザ情報記録部に記録された行先情報、および、前記ユーザ端末のユーザが前記サイトに掲載した掲載情報に基づいて、前記ユーザ端末のユーザが行先へ向かう目的を検出し、検出した目的が示す目的情報を、前記ユーザ端末毎に目的情報記録部へ記録する目的判定工程と、前記コンピュータが備える友人候補抽出部が、前記ユーザ情報記録部に記録された行先情報、および、前記目的情報記録部に記録された目的情報に基づいて、友人の紹介を受けようとするユーザ端末のユーザと同じ行先であって、かつ、同じ目的を有するユーザ端末のユーザ情報を、友人候補として前記ユーザ情報記録部から抽出する友人候補抽出工程と、前記コンピュータが備える友人候補紹介部が、前記友人候補抽出工程により友人候補として抽出されたユーザ端末のユーザ情報に基づいて、友人の紹介を受けようとするユーザ端末に、友人候補として抽出されたユーザ端末のユーザのプロフィールを示すプロフィール情報を提示させる友人候補紹介工程とを含む。
【００３９】
上記目的を達成するために本発明における友人紹介プログラムは、複数のユーザ端末のそれぞれと、サイトを提供する提供システムとに通信可能なコンピュータに処理を実行させる友人紹介プログラムにおいて、前記ユーザ端末を識別するユーザ情報を当該ユーザ端末から取得し、前記ユーザ端末のユーザの行先を示す行先情報を当該ユーザ端末または当該コンピュータから取得し、取得したユーザ情報および行先情報を、前記ユーザ端末毎にユーザ情報記録部へ記録するユーザ情報取得処理と、前記ユーザ情報記録部に記録された行先情報、および、前記ユーザ端末のユーザが前記サイトに掲載した掲載情報に基づいて、前記ユーザ端末のユーザが行先へ向かう目的を検出し、検出した目的が示す目的情報を、前記ユーザ端末毎に目的情報記録部へ記録する目的判定処理と、前記ユーザ情報記録部に記録された行先情報、および、前記目的情報記録部に記録された目的情報に基づいて、友人の紹介を受けようとするユーザ端末のユーザと同じ行先であって、かつ、同じ目的を有するユーザ端末のユーザ情報を、友人候補として前記ユーザ情報記録部から抽出する友人候補抽出処理と、前記友人候補抽出処理により友人候補として抽出されたユーザ端末のユーザ情報に基づいて、友人の紹介を受けようとするユーザ端末に、友人候補として抽出されたユーザ端末のユーザのプロフィールを示すプロフィール情報を提示させる友人候補紹介処理とを前記コンピュータに実行させる。
【００４０】
なお、本発明における友人紹介方法および友人紹介プログラムは、上記の友人紹介システムと同様の効果を得る。
【発明の効果】
【００４１】
以上のように、本発明の友人紹介システム、友人紹介方法、および、友人紹介プログラムは、ユーザ端末のユーザの手間をかけることなく、ユーザ端末のユーザの行先および行先へ向かう目的に応じて、ユーザ端末のユーザに、友人候補となる他のユーザ端末のユーザを紹介することができるという効果を奏する。
【発明を実施するための最良の形態】
【００４２】
以下、本発明のより具体的な実施形態について図面を参照しながら詳細に説明する。
【００４３】
なお、以下では、互いに同じ機能を有している部材を説明する際、特に区別する必要のある場合にのみ、例えば、ユーザ端末２ａのように、それぞれを区別するための英小文字を付して説明し、特に区別する必要がない場合、あるいは、総称する場合には、例えば、ユーザ端末２のように、英小文字を付さずに説明する。
【００４４】
[実施の形態１]
図１は、本実施形態に係る通信システム１の概略構成を示すブロック図である。すなわち、本実施形態に係る通信システム１は、ユーザ端末２ａ，２ｂ、ＳＮＳシステム３ａ、ブログシステム３ｂ、検索システム３ｃ、および、友人紹介システム４を備えている。ユーザ端末２ａ，２ｂ、ＳＮＳシステム３ａ、ブログシステム３ｂ、検索システム３ｃ、および、友人紹介システム４は、ネットワークＮを介して互いに接続されている。ネットワークＮは、例えば、インターネットであって、ユーザ端末２ａ，２ｂ、ＳＮＳシステム３ａ、ブログシステム３ｂ、検索システム３ｃ、および、友人紹介システム４は、ＴＣＰ／ＩＰ（Transmission Control Protocol／Internet Protocol）、ＵＤＰ／ＩＰ（User Datagram Protocol／Internet Protocol）等、予め定められたプロトコルで相互に通信できる。なお、ネットワークＮは、インターネットの代わりに、イーサネット（登録商標）、無線ＬＡＮ等であってもよい。
【００４５】
図１では、説明の簡略化のために、ユーザ端末２ａ，２ｂを２台、ＳＮＳシステム３ａ、ブログシステム３ｂ、検索システム３ｃ、および、友人紹介システム４を１台ずつ図示したが、通信システム１を構成するユーザ端末２ａ，２ｂ、ＳＮＳシステム３ａ、ブログシステム３ｂ、検索システム３ｃ、および、友人紹介システム４の数は任意である。また、通信システム１上に、他のクライアント、各種のサーバ（Ｗｅｂサーバ、メールサーバ、ホームページサーバ、プロキシサーバ、ＤＮＳサーバ、ＤＨＣＰサーバ等）が存在していてもよい。
【００４６】
（通信システムの構成）
以下では、友人紹介システム４の詳細な構成について説明する前に、通信システム１の全体構成について説明する。
【００４７】
ユーザ端末２は、例えば、携帯電話、ＰＨＳ、ＰＤＡ、ＨＨＴ、あるいは、ナビゲーション装置等である。本実施形態においては、ユーザ端末２は、車両に搭載されたナビゲーション装置（カーナビゲーションシステム）である場合について説明する。具体的には、ユーザ端末２に、ユーザ端末２のユーザによって行先情報が設定されたものとする。なお、行先情報は、ユーザ端末２のユーザの行先を示す情報である。ユーザ端末２は、設定された行先情報、現在位置から行先までの距離、および、現在の車両の走行速度（但し、車両が走行を開始しようとする場合等、現在の車両の走行速度が“０”の場合は、デフォルトとして予め用意された車両の走行速度）に基づいて、ユーザ端末２のユーザが行先に到着すると予想される到着予想時刻を算出する。ユーザ端末２は、算出した到着予想時刻をユーザに提示する。このため、ユーザ端末２は、図示しないが、ユーザに対して情報を提示する提示部（表示部、音声合成部等）、および、ユーザから入力を受け付ける入力部（入力キー、タッチパネル、音声認識部等）を備えている。
【００４８】
ＳＮＳシステム（提供システム、コミュニティシステム）３ａは、ソーシャルネットワーキングサービス（以降、「ＳＮＳ」と称する）を利用者に提供するためのシステムである。すなわち、ＳＮＳシステム３ａは、複数の運営主体がそれぞれ運営するそれぞれのコミュニティサイトを利用者に提供するためのシステムである。ＳＮＳは、友人・知人間のコミュニケーションを円滑にする手段や場を提供し、趣味や嗜好、居住地域、出身校、あるいは、友人の友人といった繋がりを通じて新たな人間関係を構築する場を提供する、会員制のサービスである。ＳＮＳは、自分のプロフィールや写真を会員に公開する機能、互いにメールアドレスを知られること無く別の会員にメッセージを送信する機能、新しくできた友人を登録するアドレス帳、友人に別の友人を紹介する機能、友人であるか否かに応じて公開範囲を制限できる日記帳、趣味や地域のカテゴリ毎に掲示板で交流できるコミュニティ機能、予定や友人の誕生日等を書き込めるカレンダー機能等を有している。なお、ＳＮＳシステム３ａには、ユーザ端末２のユーザにより掲載された掲載情報が記録されている。
【００４９】
ブログシステム（提供システム）３ｂは、複数のブログ情報を管理するシステムである。ブログ情報は、ブログの内容（コンテンツ）を示すＸＭＬデータである。ブログシステム３ｂは、ＲＳＳ（RDF Site Summary）機能、トラックバック機能等を有している。なお、ブログシステム３ｂには、ユーザ端末２のユーザにより掲載された掲載情報が記録されている。
【００５０】
検索システム３ｃは、インターネット上で公開されているＷｅｂページの情報をデータベース化し、このＷｅｂページのＵＲＬの検索を可能にする検索エンジンを有するシステムである。すなわち、検索システム３ｃは、検索エンジンが提供する検索サイトを利用者に提供するためのシステムである。
【００５１】
（友人紹介システムの構成）
友人紹介システム４は、ユーザ情報取得部４１、ユーザ情報記録部４２、キーワード抽出部４３、キーワード記録部４４、目的判定部４５、目的情報記録部４６、要求情報受信部４７、友人候補抽出部４８、プロフィール情報記録部４９、問い合わせ部５０、および、友人候補紹介部５１を備えている。なお、これらの部材４１〜５１は、１つの装置内に纏めて構成されていてもよいし、複数の装置内に分散して構成されていてもよい。
【００５２】
ユーザ情報取得部４１は、ユーザ端末２のユーザ情報、行先情報、到着予想時刻、および、ＳＮＳ情報を、ネットワークＮを介してユーザ端末２から取得する。ユーザ情報取得部４１は、取得したこれらの情報を、ユーザ情報記録部４２へ記録する。図２は、本実施形態に係るユーザ情報記録部４２に記録されたデータの一例を示す図である。図２に示すように、ユーザ情報記録部４２には、端末ＩＤ、行先の名称、行先の住所、到着予想時刻、および、ＳＮＳ情報が記録されている。端末ＩＤは、ユーザ端末２を一意に識別するためのユーザ情報である。行先の名称は、ユーザ端末２のユーザの行先の名称を示す行先情報である。行先の住所は、ユーザ端末２のユーザの行先の住所を示す行先情報である。なお、行先の名称および行先の住所の代わりに、行先の緯度および経度、あるいは、行先の郵便番号等であってもよい。到着予想時刻は、ユーザ端末２のユーザが行先に到着すると予想される時刻である。ＳＮＳ情報は、ユーザ端末２のユーザが会員となっているＳＮＳに関する情報である。本実施形態においては、ＳＮＳに関する情報として、ユーザ端末２のユーザが会員となっているＳＮＳの名称、ならびに、このＳＮＳにログインするためのユーザＩＤおよびパスワード（Ｐｗｄ）が含まれる。
【００５３】
なお、ユーザ情報取得部４１は、ユーザ端末２のユーザが行先に到着した到着時刻を、ネットワークＮを介してユーザ端末２から取得するようにしてもよい。この場合、ユーザ情報取得部４１は、取得した到着時刻を、ユーザ情報記録部４２へ記録する。
【００５４】
キーワード抽出部４３は、検索システム３ｃが提供する検索サイトから、ユーザ端末２のユーザの行先に関連するキーワード（目的キーワード、時期キーワード）を抽出する。具体的には、キーワード抽出部４３は、まず、ユーザ情報記録部４２に記録された端末ＩＤおよび行先の名称を抽出する。キーワード抽出部４３は、ネットワークＮを介して検索システム３ｃにアクセスする。キーワード抽出部４３は、検索システム３ｃに対して、検索キーワードとして行先の名称を指定した上で検索を行うように依頼する。検索システム３ｃは、キーワード抽出部４３からの依頼に基づいて、検索キーワードとして行先の名称を指定した上で検索を行う。検索システム３ｃは、検索を行うことによりヒットしたウェブページを友人紹介システム４に送信する。
【００５５】
キーワード抽出部４３は、検索システム３ｃから送信されたウェブページを取得し、取得したウェブページに対して形態素解析を行う。形態素解析を行うことにより、ウェブページに掲載された文章は、複数の単語に分割される。また、分割された複数の単語のそれぞれの品詞が判別される。なお、形態素解析の方法として、例えば、ビタビ（Viterbi）アルゴリズムや最長一致法等が挙げられるが、本実施形態で用いられる形態素解析の方法は、特定のものに限定されない。キーワード抽出部４３は、分割した複数の単語の中から名詞あるいは動詞となるキーワードを抽出する。
【００５６】
キーワード抽出部４３は、抽出したキーワードのうち、時期を示すキーワードを時期キーワードとする。なお、時期キーワードとして、例えば、１月２日・３日といった具体的な日付、８月の第１火曜日といった時期、春・夏・秋・冬といった季節等のキーワードである。また、キーワード抽出部４３は、抽出したキーワードのうち、目的を示すキーワードを目的キーワードとする。キーワード抽出部４３は、抽出した目的キーワード、および、抽出した目的キーワードに対応する時期キーワードをキーワード記録部４４へ記録する。つまり、キーワード抽出部４３は、目的キーワードと係り受け（修飾）関係にある時期キーワードを、目的キーワードに対応する時期キーワードとする。
【００５７】
図３は、本実施形態に係るキーワード記録部４４に記録されたデータの一例を示す図である。図３に示すように、キーワード記録部４４には、端末ＩＤ、行先の名称、目的キーワード、および、時期キーワードが記録されている。本実施形態においては、キーワード記録部４４には、端末ＩＤ「ＸＸＸ−ＹＹＹ−ＺＺＺＺ」、行先の名称「湘南海岸」、目的キーワード「湘南海岸公園」、「七里ガ浜」、「江ノ島」、「サーフィン」・・・が記録されている。また、キーワード記録部４４には、目的キーワード「箱根駅伝」に対応して時期キーワード「１月２日・３日」が記録されている。さらに、キーワード記録部４４には、目的キーワード「江ノ島花火大会」に対応して時期キーワード「８月の第１火曜日」が記録されている。なお、時期キーワード「−」は、時期キーワードが存在しないことを示している。
【００５８】
また、キーワード記録部４４には、端末ＩＤ「ＡＡＡ−ＢＢＢ−ＣＣＣＣ」の行先の名称「茅ヶ崎海水浴場」に対応する目的キーワードおよび時期キーワードが記録されている。このように、キーワード記録部４４には、ユーザ端末２毎に、ユーザ端末２の端末ＩＤの行先の名称に対応する目的キーワードおよび時期キーワードが記録されている。つまり、キーワード抽出部４３は、ユーザ端末２毎に、検索システム３ｃが提供する検索サイトから、ユーザ端末２のユーザの行先に関連するキーワードを抽出し、抽出したキーワード（目的キーワード、時期キーワード）を、ユーザ端末２毎にキーワード記録部４４へ記録する。
【００５９】
目的判定部４５は、ユーザ端末２のユーザがサイトに掲載した掲載情報に含まれている目的キーワードをキーワード記録部４４から抽出し、抽出した目的キーワードを、ユーザ端末２のユーザが行先へ向かう目的であると検出する。具体的には、目的判定部４５は、まず、ネットワークＮを介してＳＮＳシステム３ａおよびブログシステム３ｂにアクセスする。目的判定部４５は、ＳＮＳシステム３ａおよびブログシステム３ｂの少なくとも１つから、ユーザ端末２のユーザによって掲載された掲載情報を取得する。目的判定部４５は、取得した掲載情報に、キーワード記録部４４に記録された行先の名称の一部または全部が含まれているか否かを判定する。目的判定部４５は、取得した掲載情報に、行先の名称の一部または全部が含まれていると判定すれば、取得した掲載情報と、キーワード記録部４４に記録された目的キーワードとを比較することにより、掲載情報に含まれている目的キーワードを、キーワード記録部４４から抽出する。なお、目的判定部４５は、取得した掲載情報に、行先の名称の一部または全部が含まれていない場合であっても、取得した掲載情報と、キーワード記録部４４に記録された目的キーワードとを比較することにより、掲載情報に含まれている目的キーワードを、キーワード記録部４４から抽出するようにしてもよい。すなわち、例えば、ユーザが初めて「湘南海岸」にサーフィンをしに行く場合、掲載情報には「湘南」という文字が含まれていない可能性があるからである。
【００６０】
また、目的判定部４５は、キーワード記録部４４に記録された時期キーワードを考慮した上で、キーワード記録部４４から目的キーワードを抽出するようにしてもよい。例えば、掲載情報に「花火」および「花火の写真」といった文字（記事）が含まれており、かつ、行先の名称が「湘南海岸」、時期キーワードが「８月の第１火曜日」であれば、目的判定部４５は、時期キーワード「８月の第１火曜日」に対応する目的キーワード「江ノ島花火大会」を、キーワード記録部４４から抽出する。
【００６１】
図４は、ユーザ端末２のユーザにより掲載された掲載情報と、キーワード記録部４４に記録された行先の名称および目的キーワードとを比較している状態を示す概念図である。なお、図４に示す日記情報Ｄ、プロフィール情報Ｐ、および、画像情報Ｇは、端末ＩＤ「ＸＸＸ−ＹＹＹ−ＺＺＺＺ」のユーザ端末２のユーザによってＳＮＳシステム３ａに記録された掲載情報である。ここで、図４に示すように、キーワード記録部４４に記録された行先の名称「湘南海岸」の一部の「湘南」が日記情報Ｄに含まれている。また、キーワード記録部４４に記録された複数の目的キーワードのうち、目的キーワード「サーフィン」がプロフィール情報Ｐに含まれている。このため、目的判定部４５は、キーワード記録部４４に記録された複数の目的キーワード（図３参照）の中から、目的キーワード「サーフィン」を抽出する。目的判定部４５は、抽出した目的キーワード「サーフィン」を、端末ＩＤ「ＸＸＸ−ＹＹＹ−ＺＺＺＺ」のユーザ端末２のユーザが行先「湘南海岸」へ向かう目的であると検出する。目的判定部４５は、抽出した目的キーワードを目的情報として目的情報記録部４６へ記録する。
【００６２】
なお、上記では、目的判定部４５は、掲載情報に含まれている目的キーワードを、キーワード記録部４４から抽出する例について説明したが、これに限定されない。例えば、目的判定部４５は、掲載情報に含まれているキーワードと類似するあるいは関連する目的キーワードを、キーワード記録部４４から抽出するようにしてもよい。この場合、友人紹介システム４には、互いに類似するあるいは関連する関係となる複数の単語が記録された類似語辞書（図示せず）が備えられる。具体的には、掲載情報に含まれているキーワードが「サーフ・ボード」であった場合、目的判定部４５は、類似語辞書を参照することにより、キーワード「サーフ・ボード」に関連する目的キーワード「サーフィン」を、キーワード記録部４４から抽出する。これにより、掲載情報に含まれているキーワードと目的キーワードとが同一でない場合であっても、目的判定部４５は、掲載情報に含まれているキーワードと類似するあるいは関連する目的キーワードを、キーワード記録部４４から抽出することができる。
【００６３】
また、上記では、ユーザ端末２のユーザにより掲載された掲載情報と、キーワード記録部４４に記録された目的キーワードとを比較することにより、掲載情報に含まれている目的キーワードを、キーワード記録部４４から抽出する例について説明したが、これに限定されない。例えば、掲載情報におけるプロフィール情報Ｐの趣味欄と、キーワード記録部４４に記録された目的キーワードとを比較することにより、プロフィール情報Ｐの趣味欄に含まれている目的キーワードを、キーワード記録部４４から抽出するようにしてもよい。すなわち、プロフィール情報Ｐの趣味欄には、通常、趣味の名称が掲載されている。つまり、プロフィール情報Ｐの趣味欄には、ユーザ端末２のユーザが行先に向かう目的が掲載されていると言える。これにより、全ての掲載情報と目的キーワードとを比較する必要がないので、目的判定部４５による比較処理を高速化することができる。
【００６４】
図５は、本実施形態に係る目的情報記録部４６に記録されたデータの一例を示す図である。図５に示すように、目的情報記録部４６には、端末ＩＤ、行先の名称、および、目的情報が記録されている。本実施形態においては、目的情報記録部４６には、端末ＩＤ「ＸＸＸ−ＹＹＹ−ＺＺＺＺ」、行先の名称「湘南海岸」、および、目的情報「サーフィン」が記録されている。また、目的情報記録部４６には、端末ＩＤ「ＡＡＡ−ＢＢＢ−ＣＣＣＣ」、行先の名称「茅ヶ崎海水浴場」、および、目的情報「海水浴」、「ボード」が記録されている。このように、目的情報記録部４６には、ユーザ端末２毎に、行先の名称および目的情報が記録されている。つまり、目的判定部４５は、ユーザ端末２毎に、ユーザ端末２のユーザが行先へ向かう目的を判定し、判定した目的が示す目的情報を、ユーザ端末２毎に目的情報記録部４６へ記録する。
【００６５】
要求情報受信部４７は、ネットワークＮを介して、友人の紹介を受けようとするユーザ端末２から要求情報を受信する。なお、要求情報は、友人の紹介を受けたいことを示す依頼情報である。また、要求情報には、ユーザ端末２の端末ＩＤが含まれる。例えば、ユーザ端末２のユーザが、ユーザ端末２に対して指示することにより、ユーザ端末２からネットワークＮを介して要求情報が送信される。要求情報受信部４７は、送信された要求情報を受信する。要求情報受信部４７は、受信した要求情報を友人候補抽出部４８に出力する。
【００６６】
なお、以下では、ユーザ端末２ａからネットワークＮを介して要求情報が送信され、要求情報受信部４７は、ユーザ端末２ａから送信された要求情報を受信したものとする。また、ユーザ端末２ａの端末ＩＤは、「ＸＸＸ−ＹＹＹ−ＺＺＺＺ」であるものとする。
【００６７】
友人候補抽出部４８は、友人の紹介を受けようとするユーザ端末２ａのユーザと友人になれそうなユーザ端末２のユーザが示す端末ＩＤを、友人候補としてユーザ情報記録部４２から抽出する。具体的には、友人候補抽出部４８は、まず、要求情報受信部４７により受信された要求情報から端末ＩＤ「ＸＸＸ−ＹＹＹ−ＺＺＺＺ」を抽出する。友人候補抽出部４８は、端末ＩＤ「ＸＸＸ−ＹＹＹ−ＺＺＺＺ」に対応付けられた行先の名称「湘南海岸」および到着予想時刻「２００７／０５／３０ＡＭ１０：３０」を、ユーザ情報記録部４２から抽出する（図２参照）。また、友人候補抽出部４８は、端末ＩＤ「ＸＸＸ−ＹＹＹ−ＺＺＺＺ」に対応付けられた目的情報「サーフィン」を、目的情報記録部４６から抽出する（図５参照）。これにより、友人候補抽出部４８は、友人の紹介を受けようとするユーザ端末２ａの行先、この行先に向かう目的、および、この行先に到着すると予想される到着予想時刻を検出することができる。
【００６８】
友人候補抽出部４８は、友人の紹介を受けようとするユーザ端末２ａの行先の名称「湘南海岸」と同じ行先の名称「湘南海岸」であって、かつ、友人の紹介を受けようとするユーザ端末２ａの到着予想時刻「２００７／０５／３０ＡＭ１０：３０」が示す時間帯と同じ時間帯を有する到着予想時刻に対応付けられたユーザ端末２の端末ＩＤを、ユーザ情報記録部４２から抽出する。なお、時間帯は、１日のうち、ある時刻からある時刻までの時間間隔を示す。本実施形態においては、時間帯は、朝の時間帯（５時から１０時まで）、昼の時間（１０時から１５時まで）、夕方の時間帯（１５時から１８時まで）、および、夜の時間帯（１８時から５時まで）を有している。つまり、本実施形態においては、ユーザ端末２ａのユーザの到着予想時刻「２００７／０５／３０ＡＭ１０：３０」が昼の時間帯を示しているので、友人候補抽出部４８は、ユーザ端末２ａの行先の名称「湘南海岸」と同じ行先の名称「湘南海岸」であって、かつ、２００７年５月３０日の昼の時間帯の到着予想時刻に対応付けられたユーザ端末２の端末ＩＤを、ユーザ情報記録部４２から抽出する。
【００６９】
また、友人候補抽出部４８は、目的情報記録部４６を参照することにより、上記にて抽出したユーザ端末２の端末ＩＤの中から、友人の紹介を受けようとするユーザ端末２ａのユーザと同じ目的情報「サーフィン」を有するユーザ端末２の端末ＩＤを友人候補として抽出する。本実施形態においては、友人候補抽出部４８は、上記にて抽出したユーザ端末２の端末ＩＤの中から、ユーザ端末２ａのユーザと同じ目的情報「サーフィン」を有するユーザ端末２ｂの端末ＩＤのみを友人候補として抽出したものとする。つまり、友人の紹介を受けようとするユーザ端末２ａのユーザと同じ行先、同じ目的、かつ、同じ時間帯を有するユーザ端末２ｂのユーザであれば、友人の紹介を受けようとするユーザ端末２ａのユーザと友人になれる可能性が高い。友人候補抽出部４８は、友人候補として抽出したユーザ端末２ｂの端末ＩＤを、問い合わせ部５０に出力する。
【００７０】
プロフィール情報記録部４９は、ユーザ端末２毎に、ユーザ端末２のユーザのプロフィールを示すプロフィール情報を記録する。プロフィール情報には、ユーザ端末２のユーザの名称（ユーザ名、ニックネーム等）、性別、現住所、誕生日、血液型、出身地、趣味、所属（会社員、自営業等）、自己紹介、および、好きな観光地の名称等が含まれる。なお、プロフィール情報には、ユーザ端末２のユーザの顔画像を示す画像情報が含まれていてもよい。
【００７１】
問い合わせ部５０は、ネットワークＮを介して、友人候補として抽出されたユーザ端末２ｂに質問情報を送信する。質問情報は、友人の紹介を受けようとするユーザ端末２ａに、友人候補として抽出されたユーザ端末２ｂのユーザのプロフィール情報を提示してもよいか否かを問い合わせるための情報である。具体的には、問い合わせ部５０は、友人の紹介を受けようとするユーザ端末２ａの端末ＩＤに対応付けられたユーザ端末２ａのプロフィール情報を、プロフィール情報記録部４９から抽出する。問い合わせ部５０は、質問情報に抽出したプロフィール情報を挿入することにより、ネットワークＮを介して、友人候補として抽出されたユーザ端末２ｂに質問情報を送信する。
【００７２】
図６は、友人候補として抽出されたユーザ端末２ｂの表示部に表示される紹介可否入力画面の一例を示す図である。図６に示すように、友人候補として抽出されたユーザ端末２ｂの表示部には、質問情報として「紹介可否入力画面」が表示されている。「紹介可否入力画面」には、「あなたが友人候補として検出されました。紹介してもよろしいですか？」と、この問い合わせに対する回答を入力するための「はい」の選択ボタンＹおよび「いいえ」の選択ボタンＮと、友人の紹介を受けようとするユーザ端末２ａのユーザのプロフィール情報である「紹介相手情報」とが表示されている。「紹介相手情報」には、「行先」、「目的」、「到着予想時刻」、「ユーザ名（ニックネーム）」、「プロフィール」、および、「関連記事」が表示されている。
【００７３】
図６に示す「紹介可否入力画面」において、友人候補として抽出されたユーザ端末２ｂのユーザが、ユーザ端末２ｂの表示部に表示されている「はい」の選択ボタンＹおよび「いいえ」の選択ボタンＮのいずれか一つの選択ボタンを指示すると、ユーザ端末２ｂは、問い合わせに対する回答として得られる紹介可否情報を、ネットワークＮを介して友人紹介システム４に送信する。問い合わせ部５０は、ユーザ端末２ｂから送信された紹介可否情報を取得する。問い合わせ部５０は、取得した紹介可否情報を友人候補紹介部５１に出力する。
【００７４】
なお、上記では、ユーザ端末２ｂの表示部に、図６に示す「紹介可否入力画面」を表示する例について説明したが、これに限定されない。例えば、ユーザ端末２ｂの表示部に、図６に示す「紹介可否入力画面」を表示することに代えてまたは加えて、「紹介可否入力画面」が示す内容を、ユーザ端末２ｂが備える音声合成部により読み上げるようにしてもよい。また、ユーザ端末２ｂが備える音声認識部によりユーザからの入力を受け付けるようにしてもよい。これにより、ユーザ端末２ｂのユーザが車両を運転中であっても、ユーザ端末２ｂのユーザは、アイズフリー（目を使わない）、ハンズフリー（手を使わない）にて問い合わせに対する回答を入力することができる。
【００７５】
友人候補紹介部５１は、問い合わせ部５０により取得された紹介可否情報が、友人の紹介を受けようとするユーザ端末２ａに、友人候補として抽出されたユーザ端末２ｂのユーザのプロフィール情報を提示してもよい旨を示している場合、つまり、友人候補として抽出されたユーザ端末２ｂのユーザによって図６に示す「はい」の選択ボタンＹが指示された場合、次の処理を行う。すなわち、友人候補紹介部５１は、友人候補として抽出されたユーザ端末２ｂの端末ＩＤに対応付けられたユーザ端末２ｂのユーザのプロフィール情報を、プロフィール情報記録部４９から抽出する。友人候補紹介部５１は、友人紹介情報に抽出したプロフィール情報を挿入することにより、ネットワークＮを介して、友人の紹介を受けようとするユーザ端末２ａに友人紹介情報を送信する。これにより、ユーザ端末２ｂのユーザの同意が得られた場合に、友人の紹介を受けようとするユーザ端末２ａに、ユーザ端末２ｂのユーザのプロフィール情報を提示させることができる。
【００７６】
図７は、友人の紹介を受けようとするユーザ端末２ａの表示部に表示される友人紹介画面の一例を示す図である。図７に示すように、友人の紹介を受けようとするユーザ端末２ａの表示部には、友人紹介情報として「友人紹介画面」が表示されている。「友人紹介画面」には、「友人候補が見つかりました。」と、前の紹介相手情報へ画面を遷移するための「前へ」ボタンＢと、次の紹介相手情報へ画面を遷移するための「次へ」ボタンＦと、友人候補として抽出されたユーザ端末２ｂのユーザのプロフィール情報である「紹介相手情報」とが表示されている。なお、本実施形態においては、友人候補抽出部４８は、ユーザ端末２ｂの端末ＩＤのみを友人候補として抽出しているので、「友人紹介画面」に表示された「前へ」ボタンＢおよび「次へ」ボタンＦは、指示できないようになっている。
【００７７】
なお、上記では、ユーザ端末２ａの表示部に、図７に示す「友人紹介画面」を表示する例について説明したが、これに限定されない。例えば、ユーザ端末２ａの表示部に、図７に示す「友人紹介画面」を表示することに代えてまたは加えて、「友人紹介画面」が示す内容を、ユーザ端末２ａが備える音声合成部により読み上げるようにしてもよい。また、ユーザ端末２ａが備える音声認識部によりユーザからの入力を受け付けるようにしてもよい。これにより、ユーザ端末２ａのユーザが車両を運転中であっても、ユーザ端末２ａのユーザは、アイズフリー、ハンズフリーにて友人の紹介を受けることができる。
【００７８】
また、友人候補紹介部５１は、友人の紹介を受けようとするユーザ端末２ａの端末ＩＤに対応付けられたユーザ端末２ａのユーザのプロフィール情報を、プロフィール情報記録部４９から抽出する。友人候補紹介部５１は、友人紹介情報にユーザ端末２ａのユーザのプロフィール情報を挿入することにより、ネットワークＮを介して、友人候補として抽出されたユーザ端末２ｂに友人紹介情報を送信する。これにより、友人候補として抽出されたユーザ端末２ｂの表示部には、図７に示す友人紹介画面と同様、ユーザ端末２ａのユーザのプロフィール情報を含む友人紹介画面が表示される。
【００７９】
一方、友人候補紹介部５１は、問い合わせ部５０により取得された紹介可否情報が、友人の紹介を受けようとするユーザ端末２ａに、友人候補として抽出されたユーザ端末２ｂのユーザのプロフィール情報を提示しない旨を示している場合、つまり、友人候補として抽出されたユーザ端末２ｂのユーザによって図６に示す「いいえ」の選択ボタンＮが指示された場合、次の処理を行う。すなわち、友人候補紹介部５１は、友人の紹介を受けようとするユーザ端末２ａに、友人候補として抽出されたユーザ端末２ｂのユーザのプロフィール情報を提示させる代わりに、友人候補が見つからなかった旨を提示させる。これにより、ユーザ端末２ｂのユーザの同意が得られなかった場合に、友人の紹介を受けようとするユーザ端末２ａに、ユーザ端末２ｂのユーザのプロフィール情報を提示させないようにすることができる。
【００８０】
ところで、上記の友人紹介システム４は、パーソナルコンピュータなどの任意のコンピュータにプログラムをインストールすることによっても実現される。すなわち、上記のユーザ情報取得部４１、キーワード抽出部４３、目的判定部４５、要求情報受信部４７、友人候補抽出部４８、問い合わせ部５０、および、友人候補紹介部５１は、コンピュータのＣＰＵがこれらの機能を実現するプログラムに従って動作することによって具現化される。したがって、ユーザ情報取得部４１、キーワード抽出部４３、目的判定部４５、要求情報受信部４７、友人候補抽出部４８、問い合わせ部５０、および、友人候補紹介部５１の機能を実現するためのプログラムまたはそれを記録した記録媒体も、本発明の一実施形態である。また、ユーザ情報記録部４２、キーワード記録部４４、目的情報記録部４６、および、プロフィール情報記録部４９は、コンピュータの内蔵記憶装置またはこのコンピュータからアクセス可能な記憶装置によって具現化される。
【００８１】
（通信システムの動作）
次に、上記の構成に係る通信システム１の動作について、図８〜図１１を参照しながら説明する。
【００８２】
図８は、端末ＩＤおよびＳＮＳ情報を、友人紹介システム４のユーザ情報記録部４２へ記録するための、通信システム１の動作の一例を示すシーケンス図である。すなわち、図８に示すように、ユーザ端末２は、友人紹介システム４に対して、友人紹介システム４のネットワーク上のアドレスであるＵＲＬを指定することにより、接続要求を送信する（＃１）。これにより、ユーザ端末２と友人紹介システム４とは接続される。
【００８３】
次に、友人紹介システム４は、ユーザ端末２のユーザにＳＮＳ情報を設定させるための設定情報を、ネットワークＮを介してユーザ端末２に送信する（＃２）。図９は、ユーザ端末２の表示部に表示される友人紹介システム設定画面の一例を示す図である。図９に示すように、ユーザ端末２の表示部には、設定情報として「友人紹介システム設定画面」が表示されている。「友人紹介システム設定画面」には、ユーザ端末２の端末ＩＤを示す「端末ＩＤ：ＸＸＸ−ＹＹＹ−ＺＺＺＺ」、および、ＳＮＳ情報を設定するための「ＳＮＳ設定情報」が表示されている。「ＳＮＳ設定情報」には、ユーザ端末２のユーザが会員となっているＳＮＳを選択するためのラジオボタンＲと、ＳＮＳにログインするためのユーザＩＤの入力欄ＩUと、ＳＮＳにログインするためのパスワードの入力欄ＩPと、「完了」ボタンＥとが表示されている。図９に示す友人紹介システム設定画面において、ユーザ端末２のユーザが、会員となっているＳＮＳを選択し、ＳＮＳにログインするためのユーザＩＤおよびパスワードを入力し、かつ、「完了」ボタンＥを指示した場合に、登録情報がネットワークＮを介して友人紹介システム４へ送信される（＃３）。
【００８４】
友人紹介システム４は、＃３にて送信された登録情報を受信する。なお、登録情報には、ユーザ端末２の端末ＩＤ、ＳＮＳの名称、ユーザＩＤ、および、パスワードが含まれる。友人紹介システム４は、ＳＮＳにログインするために、ログイン情報をＳＮＳシステム３ａに送信する（＃４）。なお、ログイン情報には、ＳＮＳにログインするためのユーザＩＤおよびパスワードが含まれる。ＳＮＳシステム３ａは、＃４にて送信されたログイン情報を受信する。友人紹介システム４は、受信したログイン情報に基づいてＳＮＳにログインする。
【００８５】
友人紹介システム４がＳＮＳへのログインに成功すれば（＃５）、ＳＮＳシステム３ａは、友人紹介システム４に対して、ログインＯＫのコマンドを送信する（＃６）。友人紹介システム４（ユーザ情報取得部４１）は、＃６にて送信されたログインＯＫのコマンドを受信すると、＃３にて送信された登録情報に含まれている端末ＩＤおよびＳＮＳ情報を、ユーザ情報記録部４２へ記録する（＃７）。これにより、ユーザ情報記録部４２には、端末ＩＤおよびＳＮＳ情報が記録される。友人紹介システム４は、ユーザ端末２に対して、友人紹介システム４のＵＲＬを通知する（＃８）。ユーザ端末２は、＃８にて通知された友人紹介システム４のＵＲＬを内部のメモリに記録する（＃９）。
【００８６】
一方、友人紹介システム４がＳＮＳへのログインに失敗すれば（＃１０）、ＳＮＳシステム３ａは、友人紹介システム４に対して、ログインＮＧのコマンドを送信する（＃１１）。友人紹介システム４は、＃１１にて送信されたログインＮＧのコマンドを受信すると、ユーザ端末２に対して、登録失敗通知を送信する（＃１２）。これにより、ユーザ端末２のユーザは、ＳＮＳへのログインに失敗したことを知ることができる。
【００８７】
図１０は、ユーザ端末２から行先情報および到着予想時刻を取得した場合の、通信システム１の動作の一例を示すシーケンス図である。すなわち、図１０に示すように、ユーザ端末２ｂは、例えば、ユーザ端末２ｂの電源をＯＮし、あるいは、ユーザ端末２ｂが搭載された車両のエンジンを作動させた場合等に、図８の＃９にて記録された友人紹介システム４のＵＲＬに基づいて、友人紹介システム４に対して接続要求を送信する（＃１３）。これにより、ユーザ端末２ｂと友人紹介システム４とは接続される。友人紹介システム４は、ＳＮＳにログインするために、ユーザ情報記録部４２に記録されたＳＮＳ情報が示すユーザＩＤおよびパスワードに基づいて、ログイン情報をＳＮＳシステム３ａに送信する（＃１４）。これにより、友人紹介システム４とユーザ端末２ｂのユーザが会員となっているＳＮＳとは、ネットワークＮを介して互いに通信可能となる。
【００８８】
そして、ユーザ端末２ｂに、ユーザ端末２ｂのユーザによって行先情報が設定されると（＃１５）、ユーザ端末２ｂは、設定された行先情報、現在位置から行先までの距離、および、現在の車両の走行速度に基づいて、ユーザ端末２ｂのユーザが行先に到着すると予想される到着予想時刻を算出する。ユーザ端末２ｂは、行先情報および到着予想時刻を、ネットワークＮを介して友人紹介システム４に送信する（＃１６）。ユーザ情報取得部４１は、＃１６にて送信された行先情報および到着予想時刻を取得する。ユーザ情報取得部４１は、取得した行先情報および到着予想時刻を、ユーザ端末２ｂの端末ＩＤに対応付けてユーザ情報記録部４２へ記録する（＃１７）。
【００８９】
また、ユーザ端末２ａは、例えば、ユーザ端末２ａの電源をＯＮし、あるいは、ユーザ端末２ａが搭載された車両のエンジンを作動させた場合等に、図８の＃９にて記録された友人紹介システム４のＵＲＬに基づいて、友人紹介システム４に対して接続要求を送信する（＃１８）。これにより、ユーザ端末２ａと友人紹介システム４とは接続される。友人紹介システム４は、ＳＮＳにログインするために、ユーザ情報記録部４２に記録されたＳＮＳ情報が示すユーザＩＤおよびパスワードに基づいて、ログイン情報をＳＮＳシステム３ａに送信する（＃１９）。これにより、友人紹介システム４とユーザ端末２ａのユーザが会員となっているＳＮＳとは、ネットワークＮを介して互いに通信可能となる。
【００９０】
そして、ユーザ端末２ａに、ユーザ端末２ａのユーザによって行先情報が設定されると（＃２０）、ユーザ端末２ａは、設定された行先情報、現在位置から行先までの距離、および、現在の車両の走行速度に基づいて、ユーザ端末２ａのユーザが行先に到着すると予想される到着予想時刻を算出する。ユーザ端末２ａは、行先情報および到着予想時刻を、ネットワークＮを介して友人紹介システム４に送信する（＃２１）。ユーザ情報取得部４１は、＃２１にて送信された行先情報および到着予想時刻を取得する。ユーザ情報取得部４１は、取得した行先情報および到着予想時刻を、ユーザ端末２ａの端末ＩＤに対応付けてユーザ情報記録部４２へ記録する（＃２２）。
【００９１】
次に、キーワード抽出部４３は、ネットワークＮを介して検索システム３ｃにアクセスすることにより、検索システム３ｃに対して、検索キーワードとして行先の名称を指定した上で検索を行うように依頼する（＃２３）。検索システム３ｃは、＃２３の依頼に従って検索を行う（＃２４）。検索システム３ｃは、友人紹介システム４に対して、検索を行うことによりヒットしたウェブページを検索結果として送信する（＃２５）。
【００９２】
キーワード抽出部４３は、＃２５にて送信されたウェブページに対して形態素解析を行う。形態素解析を行うことにより、ウェブページに掲載された文章は、複数の単語に分割される。また、分割された複数の単語のそれぞれの品詞が判別される。キーワード抽出部４３は、分割した複数の単語の中から名詞あるいは動詞となるキーワードを抽出する（＃２６）。キーワード抽出部４３は、＃２６にて抽出されたキーワードのうち、時期を示すキーワードを時期キーワードとする。また、キーワード抽出部４３は、＃２６にて抽出されたキーワードのうち、目的を示すキーワードを目的キーワードとする。キーワード抽出部４３は、抽出した目的キーワード、および、抽出した目的キーワードに対応する時期キーワードをキーワード記録部４４へ記録する（＃２７）。
【００９３】
次に、目的判定部４５は、ネットワークＮを介してＳＮＳシステム３ａにアクセスすることにより、ＳＮＳシステム３ａに対して、ユーザ端末２のユーザによって掲載された掲載情報を友人紹介システム４へ送信するように依頼する（＃２８）。ＳＮＳシステム３ａは、＃２８の依頼に従って、友人紹介システム４に対して、掲載情報を送信する（＃２９）。目的判定部４５は、＃２９にて送信された掲載情報を取得する。目的判定部４５は、取得した掲載情報に、キーワード記録部４４に記録された行先の名称の一部または全部が含まれているか否かを判定する。目的判定部４５は、取得した掲載情報に、行先の名称の一部または全部が含まれていると判定すれば、取得した掲載情報と、キーワード記録部４４に記録された目的キーワードとを比較することにより、掲載情報に含まれている目的キーワードを、キーワード記録部４４から抽出する（＃３０）。なお、目的判定部４５は、取得した掲載情報に、行先の名称の一部または全部が含まれていない場合であっても、取得した掲載情報と、キーワード記録部４４に記録された目的キーワードとを比較することにより、掲載情報に含まれている目的キーワードを、キーワード記録部４４から抽出するようにしてもよい。目的判定部４５は、抽出した目的キーワードを目的情報として目的情報記録部４６へ記録する（＃３１）。
【００９４】
図１１は、ユーザ端末２ａから要求情報を受信した場合の、通信システム１の動作の一例を示すシーケンス図である。すなわち、図１１に示すように、例えば、ユーザ端末２ａのユーザが、ユーザ端末２ａに対して指示することにより、ユーザ端末２ａからネットワークＮを介して要求情報が送信される（＃３２）。要求情報受信部４７は、＃３２にて送信された要求情報を受信する。要求情報受信部４７は、受信した要求情報を友人候補抽出部４８に出力することにより、友人候補抽出部４８に対して、友人候補となるユーザ端末２の端末ＩＤを、ユーザ情報記録部４２から抽出するように指示する（＃３３）。
【００９５】
友人候補抽出部４８は、＃３３の指示に従って、友人の紹介を受けようとするユーザ端末２ａのユーザの行先と同じ行先であって、かつ、友人の紹介を受けようとするユーザ端末２ａの到着予想時刻が示す時間帯と同じ時間帯を有する到着予想時刻に対応付けられたユーザ端末２の端末ＩＤを、ユーザ情報記録部４２から抽出する（＃３４）。友人候補抽出部４８は、＃３４にて抽出されたユーザ端末２の端末ＩＤの中から、友人の紹介を受けようとするユーザ端末２ａのユーザと同じ目的情報を有するユーザ端末２の端末ＩＤを友人候補として抽出する（＃３５）。本実施形態においては、友人候補抽出部４８は、＃３４にて抽出されたユーザ端末２の端末ＩＤの中から、ユーザ端末２ａのユーザと同じ目的情報を有するユーザ端末２ｂの端末ＩＤのみを友人候補として抽出したものとする。友人候補抽出部４８は、＃３５にて友人候補として抽出されたユーザ端末２ｂの端末ＩＤを、問い合わせ部５０に出力する（＃３６）。
【００９６】
問い合わせ部５０は、ネットワークＮを介して、友人候補として抽出されたユーザ端末２ｂに質問情報を送信する（＃３７）。これにより、ユーザ端末２ｂの表示部には、図６に示すように、「紹介可否入力画面」が表示される。図６に示す「紹介可否入力画面」において、友人候補として抽出されたユーザ端末２ｂのユーザが、ユーザ端末２ｂの表示部に表示されている「はい」の選択ボタンＹを指示すると（＃３８）、ユーザ端末２ｂは、問い合わせに対する回答として得られる紹介可否情報を、ネットワークＮを介して友人紹介システム４の問い合わせ部５０に送信する（＃３９）。問い合わせ部５０は、＃３９にて送信された紹介可否情報を取得する。問い合わせ部５０は、取得した紹介可否情報を友人候補紹介部５１に出力する（＃４０）。
【００９７】
友人候補紹介部５１は、ユーザ端末２ａの表示部に、友人候補として抽出されたユーザ端末２ｂのユーザのプロフィール情報を含む友人紹介画面を表示させることにより、ユーザ端末２ａのユーザに対して、ユーザ端末２ｂのユーザを友人候補として紹介する（＃４１）。また、友人候補紹介部５１は、ユーザ端末２ｂの表示部に、友人の紹介を受けようとするユーザ端末２ａのユーザのプロフィール情報を含む友人紹介画面を表示させることにより、ユーザ端末２ｂのユーザに対して、ユーザ端末２ａのユーザを友人候補として紹介する（＃４２）。
【００９８】
一方、図６に示す「紹介可否入力画面」において、友人候補として抽出されたユーザ端末２ｂのユーザが、ユーザ端末２ｂの表示部に表示されている「いいえ」の選択ボタンＮを指示すると（＃４３）、ユーザ端末２ｂは、問い合わせに対する回答として得られる紹介可否情報を、ネットワークＮを介して友人紹介システム４の問い合わせ部５０に送信する（＃４４）。問い合わせ部５０は、＃４４にて送信された紹介可否情報を取得する。問い合わせ部５０は、取得した紹介可否情報を友人候補紹介部５１に出力する（＃４５）。
【００９９】
友人候補紹介部５１は、ユーザ端末２ａの表示部に、友人候補として抽出されたユーザ端末２ｂのユーザのプロフィール情報を含む友人紹介画面を表示させる代わりに、友人候補が見つからなかった旨を表示させる（＃４６）。
【０１００】
以上のように、本実施形態に係る友人紹介システム４によれば、ユーザ情報取得部４１は、ユーザ端末２を識別するユーザ情報を当該ユーザ端末２から取得する。また、ユーザ情報取得部４１は、ユーザ端末２のユーザの行先を示す行先情報を当該ユーザ端末２から取得する。ユーザ情報取得部４１は、取得したユーザ情報および行先情報を、ユーザ端末２毎にユーザ情報記録部４２へ記録する。目的判定部４５は、ユーザ情報記録部４２に記録された行先情報、および、ユーザ端末２のユーザがサイトに掲載した掲載情報に基づいて、ユーザ端末２のユーザが行先へ向かう目的を検出する。目的判定部４５は、検出した目的が示す目的情報を、ユーザ端末２毎に目的情報記録部４６へ記録する。ここで、友人の紹介を受けようとするユーザ端末２ａのユーザと同じ行先であって、かつ、同じ目的を有するユーザ端末２のユーザであれば、友人の紹介を受けようとするユーザ端末２ａのユーザと友人になれる可能性が高い。このため、友人候補抽出部４８は、ユーザ情報記録部４２に記録された行先情報、および、目的情報記録部４６に記録された目的情報に基づいて、友人の紹介を受けようとするユーザ端末２ａのユーザと同じ行先であって、かつ、同じ目的を有するユーザ端末２ｂのユーザ情報を、友人候補としてユーザ情報記録部４２から抽出する。友人候補紹介部５１は、友人候補として抽出されたユーザ端末２ｂのユーザ情報に基づいて、友人の紹介を受けようとするユーザ端末２ａに、友人候補として抽出されたユーザ端末２ｂのユーザのプロフィールを示すプロフィール情報を提示させる。これにより、ユーザ端末２ａのユーザの手間をかけることなく、ユーザ端末２ａのユーザの行先および行先へ向かう目的に応じて、ユーザ端末２ａのユーザに、友人候補となる他のユーザ端末２ｂのユーザを紹介することができる。
【０１０１】
[実施の形態２]
図１２は、本実施形態に係る通信システム１１の概略構成を示すブロック図である。すなわち、本実施形態に係る通信システム１１は、図１に示す友人紹介システム４の代わりに、友人紹介システム４ａを備えている。なお、図１２において、図１と同様の機能を有する構成については、同じ参照符号を付記し、その詳細な説明を省略する。
【０１０２】
友人紹介システム４ａは、図１に示す友人紹介システム４に加えて、位置情報取得部５２、経路情報生成部５３、経路情報記録部５４、および、行先判定部５５を備えている。なお、上記の位置情報取得部５２、経路情報生成部５３、および、行先判定部５５は、コンピュータのＣＰＵがこの機能を実現するプログラムに従って動作することによっても具現化される。
【０１０３】
なお、本実施形態においても、ユーザ端末２は、車両に搭載されたナビゲーション装置（カーナビゲーションシステム）である場合について説明する。但し、本実施形態においては、実施の形態１と異なり、ユーザ端末２に、ユーザ端末２のユーザによって行先情報が設定されていないものとする。つまり、本実施形態に係るユーザ端末２のユーザは、行先までの経路を把握していること等より、ユーザ端末２に行先情報を設定することなく、ユーザ端末２のユーザが所望する行先へ向かっているものとする。
【０１０４】
位置情報取得部５２は、ユーザ端末２の現在位置を示す端末位置情報を、所定時間毎に、ネットワークＮを介してユーザ端末２から取得する。なお、端末位置情報は、緯度情報および経度情報にて表される。本実施形態においては、ユーザ端末２は、ＧＰＳ（Global Positioning System）機能を有しており、ユーザ端末２の現在位置を常時計測しているので、位置情報取得部５２は、所定時間毎に、ネットワークＮを介してユーザ端末２から端末位置情報を取得することができる。位置情報取得部５２は、端末位置情報を取得する度に、取得した端末位置情報を、経路情報生成部５３および行先判定部５５に出力する。
【０１０５】
経路情報生成部５３は、位置情報取得部５２から出力された端末位置情報を履歴情報として内部のメモリ（図示せず）に蓄積する。経路情報生成部５３は、蓄積した履歴情報に基づいて、ユーザ端末２のユーザの自宅から行先までの経路を示す経路情報を生成する。具体的には、端末位置情報が示すユーザ端末２の現在位置が、同じ位置を一定時間以上示し続けている場合、経路情報生成部５３は、ユーザ端末２のユーザがこの位置に滞在しているものと判定する。経路情報生成部５３は、ユーザ端末２のユーザが滞在している位置を、ユーザ端末２のユーザの行先であると判定する。経路情報生成部５３は、例えば、地図情報が記録された地図記録部（図示せず）を参照することにより、ユーザ端末２の現在位置にあるランドマークや施設の名称（つまり、行先の名称）を取得する。経路情報生成部５３は、ユーザ端末２の端末ＩＤ、経路情報、取得日時、および、行先の名称を、経路情報記録部５４へ記録する。なお、取得日時は、端末位置情報をユーザ端末２から取得した日時を示す。
【０１０６】
図１３は、本実施形態に係る経路情報記録部５４に記録されたデータの一例を示す図である。図１３に示すように、経路情報記録部５４には、ユーザ端末２の端末ＩＤ、経路情報、取得日時、および、行先の名称が記録されている。なお、本実施形態においては、端末位置情報「４８０７．０３８２４７，Ｎ，０１１３１．３２４５２３，Ｅ」は、端末ＩＤ「ＸＸＸ−ＹＹＹ−ＺＺＺＺ」のユーザ端末２のユーザの自宅の位置を示している。また、端末位置情報「４８２１．２２２２２２，Ｎ，０１１３１．６６６６６６，Ｅ」は、「茅ヶ崎海水浴場」の位置を示している。さらに、端末位置情報「４７９４．９９９９９９，Ｎ，０１１２８．４４４４４４，Ｅ」は、「中華街東門」の位置を示している。すなわち、図１３に示す例では、端末ＩＤ「ＸＸＸ−ＹＹＹ−ＺＺＺＺ」のユーザ端末２のユーザが、２００７年４月３０日の８時に自宅を出発し、地点Ａ〜Ｄを経由しながら、１０時２７分に「茅ヶ崎海水浴場」に到着したことを表している。また、端末ＩＤ「ＸＸＸ−ＹＹＹ−ＺＺＺＺ」のユーザ端末２のユーザが、２００７年３月１２日の１０時３４分に自宅を出発し、地点ＥおよびＦを経由しながら、１１時５８分に「中華街東門」に到着したことを表している。
【０１０７】
行先判定部５５は、位置情報取得部５２から出力された端末位置情報に基づいて、ユーザ端末２のユーザの自宅から所定の位置までの経路を判定し、判定した経路と最も類似する経路情報に対応付けられた行先情報を、経路情報記録部５４から抽出する。具体的には、位置情報取得部５２から出力された端末位置情報が「４８０７．０３８２４７，Ｎ，０１１３１．３２４５２３，Ｅ」（自宅）、・・・「４８１７．００１５９５，Ｎ，０１１３０．３３３３３３，Ｅ」（地点Ｂ）であった場合、行先判定部５５は、まず、ユーザ端末２のユーザの自宅「４８０７．０３８２４７，Ｎ，０１１３１．３２４５２３，Ｅ」から地点Ｂ「４８１７．００１５９５，Ｎ，０１１３０．３３３３３３，Ｅ」までの経路を判定する。行先判定部５５は、判定した経路と、経路情報記録部５４に記録された経路情報（図１３参照）とを比較する。比較した結果、判定した経路は、経路情報記録部５４に記録された経路情報のうち、図１３の「茅ヶ崎海水浴場」へ向かう経路情報に最も類似しているので、行先判定部５５は、行先の名称「茅ヶ崎海水浴場」を、経路情報記録部５４から抽出する。ユーザ情報取得部４１は、行先判定部５５により抽出された行先情報を取得する。ユーザ情報取得部４１は、取得した行先情報を、ユーザ情報記録部４２へ記録する。
【０１０８】
ここで、仮に、行先判定部５５が判定した経路と最も類似する経路情報が複数あった場合、行先判定部５５は、経路情報に対応付けられた取得日時が示す時間種情報と、現在日時が示す時間種情報とを比較する。行先判定部５５は、現在日時が示す時間種情報と同一の時間種情報である取得日時が示す経路情報に対応付けられた行先情報を、経路情報記録部５４から抽出する。なお、時間種情報は、ある特定の属性を有する期間の呼び名を表す情報である。例えば、時間種情報には、時間帯、朝、昼、夕方、夜、午前、午後、曜日、平日、祝日、寒の入り、五十日（ごとび：日付に５または１０が含まれる日）、週末、月、盆、暮れ、正月、クリスマス、春、夏、秋、冬、花粉症の季節、ゴールデンウィーク、給料日、新月、満月、熱帯夜、大安、仏滅等が挙げられる。例えば、時間種情報が「午前」あるいは「午後」の２つであった場合、現在日時が２００７年８月３０日１５時３５分０２秒であれば、時間種情報は「午後」となる。また、例えば、時間種情報が「春」（３月〜５月）、「夏」（６月〜８月）、「秋」（９月〜１１月）、「冬」（１２月〜２月）の４つであった場合、現在日時が２００７年８月３０日１５時３５分０２秒であれば、時間種情報は「夏」となる。なお、時間種情報は、行先判定部５５の図示しないメモリに予め記録されている。
【０１０９】
一例として、行先判定部５５が判定した経路と最も類似する経路情報が２つ存在する場合について説明する。具体的には、一方の経路情報に対応付けられた行先の名称が「茅ヶ崎海水浴場」、取得日時が示す時間種情報が「夏」であり、他方の経路情報に対応付けられた行先の名称が「○○スキー場」、取得日時が示す時間種情報が「冬」であって、かつ、現在日時が示す時間種情報が「夏」である場合について説明する。この場合、行先判定部５５は、現在日時が示す時間種情報「夏」と同一の時間種情報「夏」である取得日時が示す経路情報に対応付けられた行先の名称「茅ヶ崎海水浴場」を、経路情報記録部５４から抽出する。これにより、行先判定部５５は、時間種情報を考慮した上で、ユーザ端末２のユーザの行先情報を、経路情報記録部５４から抽出することができる。
【０１１０】
以上のように、本実施形態に係る友人紹介システム４ａによれば、例えば、ユーザ端末２がナビゲーション装置であった場合、ユーザ端末２に、ユーザ端末２のユーザが行先情報を設定しなくとも、行先判定部５５は、ユーザ端末２のユーザの行先情報を、経路情報記録部５４から抽出することができる。また、例えば、ユーザ端末２がナビゲーション機能を備えていない携帯端末であっても、行先判定部５５は、ユーザ端末２のユーザの行先情報を、経路情報記録部５４から抽出することができる。この結果、ユーザ情報取得部４１は、抽出された行先情報を取得することができる。
【０１１１】
[実施の形態３]
図１４は、本実施形態に係る通信システム１２の概略構成を示すブロック図である。すなわち、本実施形態に係る通信システム１２は、図１に示す友人紹介システム４の代わりに、友人紹介システム４ｂを備えている。なお、図１４において、図１と同様の機能を有する構成については、同じ参照符号を付記し、その詳細な説明を省略する。
【０１１２】
友人紹介システム４ｂは、図１に示す友人紹介システム４に加えて、目的選択提示部５６を備えている。なお、上記の目的選択提示部５６は、コンピュータのＣＰＵがこの機能を実現するプログラムに従って動作することによっても具現化される。
【０１１３】
目的選択提示部５６は、目的情報記録部４６に記録されたユーザ端末２の目的情報が複数あった場合、複数の目的情報が示す複数の目的の中から、ユーザ端末２のユーザが行先へ向かう目的をユーザに選択させるための選択情報を、ユーザ端末２に提示させる。具体的には、目的選択提示部５６は、まず、目的情報記録部４６を参照することにより、複数の目的情報が対応付けられている端末ＩＤが目的情報記録部４６に記録されているか否かを判定する。目的選択提示部５６は、複数の目的情報が対応付けられている端末ＩＤが目的情報記録部４６に記録されていると判定すれば、複数の目的情報が示す複数の目的の中から、ユーザ端末２のユーザが行先へ向かう目的をユーザに選択させるための選択情報を、ネットワークＮを介してユーザ端末２に送信する。本実施形態においては、目的情報記録部４６には、目的情報「海水浴」、「ボード」に対応して端末ＩＤ「ＡＡＡ−ＢＢＢ−ＣＣＣＣ」が記録されているので（図５参照）、目的選択提示部５６は、ネットワークＮを介して、端末ＩＤ「ＡＡＡ−ＢＢＢ−ＣＣＣＣ」のユーザ端末２に選択情報を送信する。
【０１１４】
図１５は、ユーザ端末２の表示部に表示される目的選択画面の一例を示す図である。図１５に示すように、ユーザ端末２の表示部には、選択情報として「目的選択画面」が表示されている。「目的選択画面」には、「茅ヶ崎海水浴場へ向かう目的は？」と、「目的を選択してください。」と、「登録」ボタンＵとが表示されている。「目的を選択してください。」には、複数の目的の中から、ユーザ端末２のユーザが行先へ向かう目的を選択するためのラジオボタンＲが表示されている。なお、複数の目的の中から、ユーザ端末２のユーザが行先へ向かう目的がなかった場合、「その他」を選択するためのラジオボタンＲとともに、ユーザ端末２のユーザが、行先へ向かう目的を入力するための入力欄Ｉが表示されている。
【０１１５】
図１５に示す「目的選択画面」において、ユーザ端末２のユーザが、複数の目的の中からユーザが行先へ向かう目的を選択し、かつ、「登録」ボタンＵを指示した場合に、選択結果情報がネットワークＮを介して友人紹介システム４ｂへ送信される。本実施形態においては、ユーザ端末２のユーザが、行先へ向かう目的として「海水浴」を選択したものとする。このため、選択結果情報には、目的情報が含まれる。目的選択提示部５６は、送信された選択結果情報を取得する。目的選択提示部５６は、目的情報記録部４６に記録された端末ＩＤ「ＡＡＡ−ＢＢＢ−ＣＣＣＣ」に対応付けられた目的情報「海水浴」、「ボード」を、取得した選択結果情報が示す目的情報「海水浴」に更新する。
【０１１６】
また、図１５に示す「目的選択画面」において、ユーザ端末２のユーザが、複数の目的の中からユーザが行先へ向かう目的を選択し、かつ、「登録」ボタンＵを指示すると、ユーザ端末２の内部のメモリ（図示せず）に、ユーザ端末２のユーザにより選択された目的が示す目的情報が記録される。ユーザ端末２は、内部のメモリに記録された目的情報に基づいて、ユーザ端末２の表示部に表示された地図情報における、行先の位置に表示されたマークを、この行先へ向かう目的が示すマークに変更する。本実施形態においては、ユーザ端末２の表示部に表示された地図情報における、「茅ヶ崎海水浴場」の位置に表示されたマーク（「茅ヶ崎海水浴場」の位置を示すマーク）を、「茅ヶ崎海水浴場」へ向かう目的「海水浴」が示すマークに変更する。「海水浴」が示すマークとして、例えば、子供が海で泳いでいるマーク、あるいは、単なる海を示すマーク等、ユーザ端末２のユーザが一見しただけで海水浴であることが判るマークである。
【０１１７】
以上のように、本実施形態に係る友人紹介システム４ｂによれば、目的選択提示部５６は、複数の目的の中からユーザ端末２のユーザが行先へ向かう目的を当該ユーザ端末２のユーザに選択させるための選択情報を、ユーザ端末２に提示させる。これにより、ユーザ端末２のユーザは、複数の目的の中から、ユーザ端末２のユーザが行先へ向かう目的を選択することができる。この結果、友人候補抽出部４８は、ユーザ端末２のユーザにより選択された目的が示す目的情報に基づいて、友人の紹介を受けようとするユーザ端末２のユーザと同じ目的を有するユーザ端末２のユーザ情報を、友人候補としてユーザ情報記録部４２から抽出することができる。
【０１１８】
なお、本実施形態においては、目的選択提示部５６は、ユーザ端末２に選択情報を提示させる例について説明したが、これに限定されない。例えば、ユーザ端末２のユーザが、過去に「目的選択画面」において選択した目的が示す目的情報をユーザ端末２に蓄積することにより、ユーザ端末２の表示部に、蓄積した目的情報が示す目的を選択可能な画面を表示するようにしてもよい。例えば、ユーザ端末２のユーザが、ユーザ端末２に行先情報を設定する際、蓄積した目的情報が示す目的を選択可能な画面を表示することにより、ユーザ端末２のユーザが、行先へ向かう目的を選択する。これにより、ユーザ端末２のユーザは、過去に選択した目的の中から、行先へ向かう目的を選択することができる。
【０１１９】
[実施の形態４]
図１６は、本実施形態に係る通信システム１３の概略構成を示すブロック図である。すなわち、本実施形態に係る通信システム１３は、図１に示す友人紹介システム４の代わりに、友人紹介システム４ｃを備えている。なお、図１６において、図１と同様の機能を有する構成については、同じ参照符号を付記し、その詳細な説明を省略する。
【０１２０】
友人紹介システム４ｃは、図１に示す目的判定部４５および目的情報記録部４６の代わりに、目的判定部５７および目的情報記録部５８を備えている。また、友人紹介システム４ｃは、図１に示す友人紹介システム４に加えて、目的情報抽出部５９を備えている。なお、上記の目的情報抽出部５９は、コンピュータのＣＰＵがこの機能を実現するプログラムに従って動作することによっても具現化される。
【０１２１】
目的判定部５７は、図１に示す目的判定部４５と同様、ユーザ端末２のユーザがサイトに掲載した掲載情報に含まれている目的キーワードをキーワード記録部４４から抽出する。また、目的判定部５７は、目的キーワードを含む掲載情報がサイトに掲載された時期を示す掲載時期情報を、ネットワークＮを介してＳＮＳシステム３ａおよびブログシステム３ｂの少なくとも１つから取得する。目的判定部５７は、抽出した目的キーワードを目的情報として目的情報記録部５８へ記録し、かつ、この目的情報に対応する掲載時期情報を目的情報記録部５８へさらに記録する。
【０１２２】
図１７は、本実施形態に係る目的情報記録部５８に記録されたデータの一例を示す図である。図１７に示すように、目的情報記録部５８には、端末ＩＤ、行先の名称、目的情報、および、掲載時期情報が記録されている。本実施形態においては、目的情報記録部５８には、端末ＩＤ「ＸＸＸ−ＹＹＹ−ＺＺＺＺ」、行先の名称「湘南海岸」、目的情報「サーフィン」、および、掲載時期情報「通年」が記録されている。なお、掲載時期情報「通年」は、目的情報「サーフィン」を含む掲載情報が頻繁にサイトに掲載されていることを示している。また、目的情報記録部５８には、端末ＩＤ「ＡＡＡ−ＢＢＢ−ＣＣＣＣ」、行先の名称「茅ヶ崎海水浴場」、および、目的情報「海水浴」、「バーベキュー」が記録されている。さらに、目的情報記録部５８には、目的情報「海水浴」に対応して掲載時期情報「２００７／０７／２７」、「２００７／０８／１０」、および、目的情報「バーベキュー」に対応して掲載時期情報「２００７／０９／１７」が記録されている。
【０１２３】
目的情報抽出部５９は、目的情報記録部５８に記録されたユーザ端末２の目的情報が複数あった場合、複数の目的情報の中から、現在日時が示す時間種情報と同一の時間種情報である掲載時期情報に対応付けられた目的情報を、目的情報記録部５８から抽出する。具体的には、目的情報抽出部５９は、まず、目的情報記録部５８を参照することにより、複数の目的情報が対応付けられている端末ＩＤが目的情報記録部５８に記録されているか否かを判定する。目的情報抽出部５９は、複数の目的情報が対応付けられている端末ＩＤが目的情報記録部５８に記録されていると判定すれば、複数の目的情報の中から、現在日時が示す時間種情報と同一の時間種情報である掲載時期情報に対応付けられた目的情報を、目的情報記録部５８から抽出する。なお、時間種情報は、実施の形態２で説明した時間種情報と同一である。
【０１２４】
一例として、時間種情報が「春」（３月〜５月）、「夏」（６月〜８月）、「秋」（９月〜１１月）、「冬」（１２月〜２月）の４つであり、現在日時が２００７年８月３０日１５時３５分０２秒である場合について説明する。図１７に示す例では、目的情報記録部５８には、目的情報「海水浴」、「バーベキュー」に対応して端末ＩＤ「ＡＡＡ−ＢＢＢ−ＣＣＣＣ」が記録されているので、目的情報抽出部５９は、目的情報「海水浴」、「バーベキュー」の中から、現在日時「２００７年８月３０日１５時３５分０２秒」が示す時間種情報「夏」と同一の時間種情報「夏」である掲載時期情報「２００７／０７／２７」、「２００７／０８／１０」に対応付けられた目的情報「海水浴」を、目的情報記録部５８から抽出する。つまり、現在日時が示す時間種情報が「夏」であるので、ユーザ端末２のユーザは、「茅ヶ崎海水浴場」へ向かう目的として、「バーベキュー」よりも「海水浴」の可能性が高い。目的情報抽出部５９は、目的情報記録部５８に記録された端末ＩＤ「ＡＡＡ−ＢＢＢ−ＣＣＣＣ」に対応付けられた目的情報「海水浴」、「バーベキュー」を、抽出した目的情報「海水浴」に更新する。
【０１２５】
以上のように、本実施形態に係る友人紹介システム４ｃによれば、目的情報抽出部５９は、複数の目的情報の中から、現在日時が示す時間種情報と同一の時間種情報である掲載時期情報に対応付けられた目的情報を、目的情報記録部５８から抽出する。これにより、ユーザ端末２のユーザが行先へ向かう目的を、時間種情報から判別することができる。この結果、友人候補抽出部４８は、目的情報抽出部５９により抽出された目的情報に基づいて、友人の紹介を受けようとするユーザ端末２のユーザと同じ目的を有するユーザ端末２のユーザ情報を、友人候補としてユーザ情報記録部４２から抽出することができる。
【０１２６】
[実施の形態５]
図１８は、本実施形態に係る通信システム１４の概略構成を示すブロック図である。すなわち、本実施形態に係る通信システム１４は、図１に示す通信システム１に加えて、所持品情報検出部５ａ，５ｂを備えている。また、本実施形態に係る通信システム１４は、図１に示す友人紹介システム４の代わりに、友人紹介システム４ｄを備えている。なお、図１８において、図１と同様の機能を有する構成については、同じ参照符号を付記し、その詳細な説明を省略する。
【０１２７】
所持品情報検出部５は、ユーザ端末２のユーザの所持品の情報を示す所持品情報を検出する。例えば、ユーザ端末２のユーザの所持品には、所持品情報が記録されたＲＦＩＤ（Radio Frequency Identification）タグが貼り付けられており、所持品情報検出部５は、所持品に貼り付けられたＲＦＩＤタグと無線により通信することで、ＲＦＩＤタグから所持品情報を検出する。所持品情報検出部５は、検出した所持品情報を、ネットワークＮを介して友人紹介システム４ｄに送信する。
【０１２８】
なお、上記では、ユーザ端末２のユーザの所持品には、ＲＦＩＤタグが貼り付けられている例について説明したが、これに限定されない。例えば、ユーザ端末２のユーザの所持品には、バーコード、２次元コード、任意の無線タグ、任意のセンサ等が設けられていてもよい。また、上記では、所持品情報検出部５は、所持品に貼り付けられたＲＦＩＤタグと無線により通信することで、このＲＦＩＤタグから所持品情報を検出する、いわゆる非接触型の検出部の例について説明したが、これに限定されない。つまり、所持品情報検出部５は、いわゆる接触型の検出部であってもよい。さらに、ユーザ端末２が携帯端末であった場合、この携帯端末に所持品情報検出部５の機能を備えるようにしてもよい。
【０１２９】
友人紹介システム４ｄは、図１に示す友人紹介システム４に加えて、所持品情報取得部６０、対応関係記録部６１、および、目的情報抽出部６２を備えている。なお、上記の所持品情報取得部６０および目的情報抽出部６２は、コンピュータのＣＰＵがこの機能を実現するプログラムに従って動作することによっても具現化される。
【０１３０】
所持品情報取得部６０は、ユーザ端末２のユーザの所持品の情報を示す所持品情報を、ネットワークＮを介して所持品情報検出部５から取得する。所持品情報取得部６０は、取得した所持品情報を目的情報抽出部６２に出力する。
【０１３１】
図１９は、本実施形態に係る対応関係記録部６１に記録されたデータの一例を示す図である。図１９に示すように、対応関係記録部６１には、端末ＩＤ、目的情報、および、所持品情報が記録されている。本実施形態においては、対応関係記録部６１には、端末ＩＤ「ＸＸＸ−ＹＹＹ−ＺＺＺＺ」、および、目的情報「サーフィン」、「海水浴」が記録されている。また、対応関係記録部６１には、目的情報「サーフィン」に対応して所持品情報「０１２３４」（サーフ・ボード）、および、「５６７８９」（サーフィン用のウェア）が記録されている。さらに、対応関係記録部６１には、目的情報「海水浴」に対応して所持品情報「４６７３４」（水着）、および、「８７６４３」（足ひれ）が記録されている。
【０１３２】
目的情報抽出部６２は、目的情報記録部４６に記録されたユーザ端末２の目的情報が複数あった場合、複数の目的情報の中から、所持品情報取得部６０により取得された所持品情報に対応する目的情報を、目的情報記録部４６から抽出する。具体的には、目的情報抽出部６２は、まず、目的情報記録部４６を参照することにより、複数の目的情報が対応付けられている端末ＩＤが目的情報記録部４６に記録されているか否かを判定する。目的情報抽出部６２は、複数の目的情報が対応付けられている端末ＩＤが目的情報記録部４６に記録されていると判定すれば、次の処理を行う。すなわち、目的情報抽出部６２は、対応関係記録部６１を参照することにより、複数の目的情報の中から、所持品情報取得部６０により取得された所持品情報に対応する目的情報を、目的情報記録部４６から抽出する。
【０１３３】
一例として、目的情報記録部４６に記録されたユーザ端末２の目的情報が「サーフィン」、「海水浴」であり、所持品情報取得部６０により取得された所持品情報が「０１２３４」である場合について説明する。この場合、目的情報抽出部６２は、対応関係記録部６１を参照することにより、目的情報「サーフィン」、「海水浴」の中から、所持品情報取得部６０により取得された所持品情報「０１２３４」に対応する目的情報「サーフィン」を、目的情報記録部４６から抽出する。目的情報抽出部６２は、目的情報記録部４６に記録された目的情報「サーフィン」、「海水浴」を、抽出した目的情報「サーフィン」に更新する。
【０１３４】
以上のように、本実施形態に係る友人紹介システム４ｄによれば、目的情報抽出部６２は、複数の目的情報の中から、所持品情報取得部６０により取得された所持品情報に対応する目的情報を、目的情報記録部４６から抽出する。これにより、ユーザ端末２のユーザが行先へ向かう目的を、所持品情報から判別することができる。この結果、友人候補抽出部４８は、目的情報抽出部６２により抽出された目的情報に基づいて、友人の紹介を受けようとするユーザ端末２のユーザと同じ目的を有するユーザ端末２のユーザ情報を、友人候補としてユーザ情報記録部４２から抽出することができる。
【０１３５】
[実施の形態６]
図２０は、本実施形態に係る通信システム１５の概略構成を示すブロック図である。すなわち、本実施形態に係る通信システム１５は、図１に示す友人紹介システム４の代わりに、友人紹介システム４ｅを備えている。なお、図２０において、図１と同様の機能を有する構成については、同じ参照符号を付記し、その詳細な説明を省略する。
【０１３６】
友人紹介システム４ｅは、図１に示す目的判定部４５、および、目的情報記録部４６の代わりに、目的判定部６３、および、目的情報記録部６４を備えている。また、友人紹介システム４ｅは、図１に示す友人候補紹介部５１の代わりに、友人候補紹介部６５を備えている。
【０１３７】
目的判定部６３は、出現頻度算出部６３ａを備えている。目的判定部６３は、図１に示す目的判定部４５と同様、ユーザ端末２のユーザがサイトに掲載した掲載情報に含まれている目的キーワードをキーワード記録部４４から抽出する。目的判定部６３は、抽出した目的キーワードを目的情報として目的情報記録部６４へ記録する。また、出現頻度算出部６３ａは、目的キーワード（目的情報）が掲載情報に出現する頻度を示す出現頻度を算出する。本実施形態においては、出現頻度算出部６３ａは、出現頻度として、目的キーワードが掲載情報に出現する回数を算出する。出現頻度算出部６３ａは、算出した出現頻度を、目的情報に対応付けて目的情報記録部６４へ記録する。
【０１３８】
図２１は、本実施形態に係る目的情報記録部６４に記録されたデータの一例を示す図である。図２１に示すように、目的情報記録部６４には、端末ＩＤ、行先の名称、目的情報、および、出現頻度が記録されている。本実施形態においては、目的情報記録部６４には、端末ＩＤ「ＸＸＸ−ＹＹＹ−ＺＺＺＺ」、行先の名称「湘南海岸」、目的情報「サーフィン」、および、出現頻度「６５回」が記録されている。また、目的情報記録部６４には、端末ＩＤ「ＪＪＪ−ＫＫＫ−ＬＬＬＬ」、行先の名称「湘南海岸」、および、目的情報「サーフィン」、「海水欲」が記録されている。さらに、目的情報記録部６４には、目的情報「サーフィン」に対応して出現頻度「２５回」、および、目的情報「海水浴」に対応して出現頻度「１１回」が記録されている。
【０１３９】
友人候補紹介部６５は、友人候補抽出部４８により友人候補として抽出されたユーザ端末２の端末ＩＤが複数あった場合、友人の紹介を受けようとするユーザ端末２に、出現頻度の高い順に、友人候補として抽出されたユーザ端末２のユーザのプロフィール情報を提示させる。なお、本実施形態においては、友人候補抽出部４８は、友人の紹介を受けようとするユーザ端末２のユーザの行先「湘南海岸」と同じ行先「湘南海岸」を有するユーザ端末２の端末ＩＤ「ＸＸＸ−ＹＹＹ−ＺＺＺＺ」、および、端末ＩＤ「ＪＪＪ−ＫＫＫ−ＬＬＬＬ」を、ユーザ情報記録部４２から抽出したものとする。
【０１４０】
このため、友人候補紹介部６５は、まず、端末ＩＤ「ＸＸＸ−ＹＹＹ−ＺＺＺＺ」の目的情報「サーフィン」に対応付けられた出現頻度「６５回」を、目的情報記録部６４から抽出する。また、友人候補紹介部６５は、端末ＩＤ「ＪＪＪ−ＫＫＫ−ＬＬＬＬ」の目的情報「サーフィン」に対応付けられた出現頻度「２５回」を、目的情報記録部６４から抽出する。端末ＩＤ「ＪＪＪ−ＫＫＫ−ＬＬＬＬ」の出現頻度「２５回」よりも、端末ＩＤ「ＸＸＸ−ＹＹＹ−ＺＺＺＺ」の出現頻度「６５回」が高いので、友人候補紹介部６５は、友人の紹介を受けようとするユーザ端末２に、端末ＩＤ「ＸＸＸ−ＹＹＹ−ＺＺＺＺ」、端末ＩＤ「ＪＪＪ−ＫＫＫ−ＬＬＬＬ」の順に、ユーザ端末２のユーザのプロフィール情報を提示させる。
【０１４１】
例えば、図７に示す友人紹介画面において、友人候補紹介部６５は、まず、端末ＩＤ「ＸＸＸ−ＹＹＹ−ＺＺＺＺ」のユーザ端末２のユーザのプロフィール情報を表示させる。ここで、ユーザ端末２のユーザが、「次へ」ボタンを指示すると、表示画面が切り替わり、端末ＩＤ「ＪＪＪ−ＫＫＫ−ＬＬＬＬ」のユーザ端末２のユーザのプロフィール情報が表示される。
【０１４２】
以上のように、本実施形態に係る友人紹介システム４ｅによれば、出現頻度算出部６３ａは、目的情報が掲載情報に出現する頻度を示す出現頻度を算出する。出現頻度算出部６３ａは、算出した出現頻度を、目的情報に対応付けて目的情報記録部６４へ記録する。ここで、出現頻度が高ければ、ユーザ端末２のユーザは、行先へ向かう目的を頻繁にサイトに掲載している。例えば、行先が「湘南海岸」であって、行先へ向かう目的が「サーフィン」である場合、ユーザ端末２のユーザが「サーフィン」を繰り返しサイトに掲載していれば、ユーザ端末２のユーザは、「サーフィン」に非常に興味を持っているユーザであるといえる。つまり、このようなユーザ端末２のユーザであれば、友人の紹介を受けようとするユーザ端末２のユーザと友人になれる可能性が高い。このため、友人候補紹介部６５は、友人の紹介を受けようとするユーザ端末２に、出現頻度の高い順に、友人候補として抽出されたユーザ端末２のユーザのプロフィール情報を提示させる。これにより、友人の紹介を受けようとするユーザ端末２のユーザは、友人になれる可能性の高いユーザからプロフィール情報を閲覧することができる。
【０１４３】
[実施の形態７]
図２２は、本実施形態に係る通信システム１６の概略構成を示すブロック図である。すなわち、本実施形態に係る通信システム１６は、図１に示す友人紹介システム４の代わりに、友人紹介システム４ｆを備えている。なお、図２２において、図１と同様の機能を有する構成については、同じ参照符号を付記し、その詳細な説明を省略する。
【０１４４】
友人紹介システム４ｆは、図１に示す友人紹介システム４に加えて、評価情報取得部６６、および、評価情報記録部６７を備えている。また、友人紹介システム４ｆは、図１に示す友人候補紹介部５１の代わりに、友人候補紹介部６８を備えている。なお、上記の評価情報取得部６６は、コンピュータのＣＰＵがこの機能を実現するプログラムに従って動作することによっても具現化される。
【０１４５】
評価情報取得部６６は、友人候補として抽出されたユーザ端末２のユーザの評価を問い合わせるための質問情報を、ネットワークＮを介して、友人の紹介を受けようとするユーザ端末２に送信する。図２３は、友人の紹介を受けようとするユーザ端末２の表示部に表示される友人候補評価画面の一例を示す図である。図２３に示すように、友人の紹介を受けようとするユーザ端末２の表示部には、質問情報として「友人候補評価画面」が表示されている。「友人候補評価画面」には、「紹介した友人候補はいかがでしたか？」と、友人候補として抽出されたユーザ端末２のユーザのユーザ名（ニックネーム）「海が好き」と、問い合わせに対する回答を入力するための「良い」、「普通」、「悪い」のラジオボタンＲと、「登録」ボタンＵとが表示されている。
【０１４６】
図２３に示す「友人候補評価画面」において、友人の紹介を受けようとするユーザ端末２のユーザが、ユーザ端末２の表示部に表示されている「良い」、「普通」、および、「悪い」のいずれか一つのラジオボタンＲを選択し、かつ、「登録」ボタンＵを指示すると、ユーザ端末２は、問い合わせに対する回答として得られる評価情報を、ネットワークＮを介して友人紹介システム４ｆに送信する。評価情報取得部６６は、ユーザ端末２から送信された評価情報を取得する。評価情報取得部６６は、取得した評価情報を、評価情報記録部６７へ記録する。なお、本実施形態においては、評価情報取得部６６は、評価情報が「良い」であった場合、評価情報「良い」が示す評価点「５」を評価情報記録部６７へ記録する。また、評価情報取得部６６は、評価情報が「普通」であった場合、評価情報「普通」が示す評価点「３」を評価情報記録部６７へ記録する。さらに、評価情報取得部６６は、評価情報が「悪い」であった場合、評価情報「悪い」が示す評価点「−１」を評価情報記録部６７へ記録する。
【０１４７】
図２４は、本実施形態に係る評価情報記録部６７に記録されたデータの一例を示す図である。図２４に示すように、評価情報記録部６７には、端末ＩＤ、および、評価情報が記録されている。本実施形態においては、評価情報記録部６７には、端末ＩＤ「ＸＸＸ−ＹＹＹ−ＺＺＺＺ」、および、評価情報「１５」が記録されている。また、評価情報記録部６７には、端末ＩＤ「ＪＪＪ−ＫＫＫ−ＬＬＬＬ」、および、評価情報「２」が記録されている。さらに、評価情報記録部６７には、端末ＩＤ「ＭＭＭ−ＮＮＮ−ＰＰＰＰ」、および、評価情報「１０」が記録されている。
【０１４８】
友人候補紹介部６８は、友人候補抽出部４８により友人候補として抽出されたユーザ端末２の端末ＩＤが複数あった場合、友人の紹介を受けようとするユーザ端末２に、評価情報の高い順に、友人候補として抽出されたユーザ端末２のユーザのプロフィール情報を提示させる。なお、本実施形態においては、友人候補抽出部４８は、友人の紹介を受けようとするユーザ端末２のユーザの行先「湘南海岸」と同じ行先「湘南海岸」を有するユーザ端末２の端末ＩＤ「ＸＸＸ−ＹＹＹ−ＺＺＺＺ」、端末ＩＤ「ＪＪＪ−ＫＫＫ−ＬＬＬＬ」、および、端末ＩＤ「ＭＭＭ−ＮＮＮ−ＰＰＰＰ」を、ユーザ情報記録部４２から抽出したものとする。
【０１４９】
このため、友人候補紹介部６８は、まず、端末ＩＤ「ＸＸＸ−ＹＹＹ−ＺＺＺＺ」に対応付けられた評価情報「１５」を、評価情報記録部６７から抽出する。また、友人候補紹介部６８は、端末ＩＤ「ＪＪＪ−ＫＫＫ−ＬＬＬＬ」に対応付けられた評価情報「２」を、評価情報記録部６７から抽出する。さらに、友人候補紹介部６８は、端末ＩＤ「ＭＭＭ−ＮＮＮ−ＰＰＰＰ」に対応付けられた評価情報「１０」を、評価情報記録部６７から抽出する。端末ＩＤ「ＸＸＸ−ＹＹＹ−ＺＺＺＺ」の評価情報「１５」、端末ＩＤ「ＭＭＭ−ＮＮＮ−ＰＰＰＰ」の評価情報「１０」、端末ＩＤ「ＪＪＪ−ＫＫＫ−ＬＬＬＬ」の評価情報「２」の順に評価点が高いので、友人候補紹介部６８は、友人の紹介を受けようとするユーザ端末２に、端末ＩＤ「ＸＸＸ−ＹＹＹ−ＺＺＺＺ」、端末ＩＤ「ＭＭＭ−ＮＮＮ−ＰＰＰＰ」、端末ＩＤ「ＪＪＪ−ＫＫＫ−ＬＬＬＬ」の順に、ユーザ端末２のユーザのプロフィール情報を提示させる。
【０１５０】
以上のように、本実施形態に係る友人紹介システム４ｆによれば、評価情報取得部６６は、友人候補として抽出されたユーザ端末２のユーザの評価を問い合わせるための質問情報を、友人の紹介を受けようとするユーザ端末２に送信する。また、評価情報取得部６６は、問い合わせに対する回答として得られる評価情報を、質問情報が送信されたユーザ端末２から取得する。ここで、評価情報の高いユーザ端末２のユーザは、他のユーザ端末２のユーザと友人になった可能性が高い。つまり、評価情報の高いユーザは、他のユーザ端末２のユーザと友人になり易いユーザであるといえる。このため、友人候補紹介部６８は、友人の紹介を受けようとするユーザ端末２に、評価情報の高い順に、友人候補として抽出されたユーザ端末２のユーザのプロフィール情報を提示させる。これにより、友人の紹介を受けようとするユーザ端末２のユーザは、友人になれる可能性の高いユーザからプロフィール情報を閲覧することができる。
【０１５１】
[実施の形態８]
図２５は、本実施形態に係る通信システム１７の概略構成を示すブロック図である。すなわち、本実施形態に係る通信システム１７は、図１に示す通信システム１に加えて、乗車人数検出部６ａ，６ｂを備えている。また、本実施形態に係る通信システム１７は、図１に示す友人紹介システム４の代わりに、友人紹介システム４ｇを備えている。なお、図２５において、図１と同様の機能を有する構成については、同じ参照符号を付記し、その詳細な説明を省略する。
【０１５２】
本実施形態においては、ユーザ端末２ａは、車両Ｃａに搭載されたナビゲーション装置（カーナビゲーションシステム）であって、ユーザ端末２ｂは、車両Ｃｂに搭載されたナビゲーション装置（カーナビゲーションシステム）である場合について説明する。なお、車両Ｃａには、乗車人数検出部６ａが搭載されており、車両Ｃｂには、乗車人数検出部６ｂが搭載されている。
【０１５３】
乗車人数検出部６は、友人の紹介を受けようとするユーザ端末２のユーザが運転する車両Ｃの乗車人数を検出する。本実施形態においては、乗車人数検出部６は、車両Ｃの座席シートに備えられた重量センサであって、人間が座席シートに座ることによって生じる人間の重量を検出することにより、車両Ｃに乗車している乗車人数を検出する。乗車人数検出部６は、乗車人数を示す乗車人数情報を、ネットワークＮを介して友人紹介システム４ｇに送信する。なお、乗車人数検出部６として、上記の重量センサ以外に、人間の体温を検出する温度センサ、人間を撮像した画像を認識する画像認識装置、人間の発声を認識する音声認識装置等であってもよい。
【０１５４】
友人紹介システム４ｇは、図１に示す友人紹介システム４に加えて、乗車人数取得部６９を備えている。また、友人紹介システム４ｇは、図１に示す友人候補紹介部５１の代わりに、友人候補紹介部７０を備えている。なお、上記の乗車人数取得部６９は、コンピュータのＣＰＵがこの機能を実現するプログラムに従って動作することによっても具現化される。
【０１５５】
乗車人数取得部６９は、車両Ｃに乗車している乗車人数を示す乗車人数情報を、ネットワークＮを介して乗車人数検出部６から取得する。乗車人数取得部６９は、取得した乗車人数情報を友人候補紹介部７０に出力する。
【０１５６】
友人候補紹介部７０は、乗車人数取得部６９により取得された乗車人数情報が、運転者である友人の紹介を受けようとするユーザ端末のユーザのみを示している場合、友人の紹介を受けようとするユーザ端末２に、友人候補として抽出されたユーザ端末２のユーザのプロフィール情報を提示させる。
【０１５７】
以上のように、本実施形態に係る友人紹介システム４ｆによれば、乗車人数取得部６９は、友人の紹介を受けようとするユーザ端末２のユーザが運転する車両Ｃの乗車人数を示す乗車人数情報を取得する。ここで、車両Ｃの乗車人数が複数であれば、車両Ｃに乗車している人間は、互いに家族、友人、または、恋人同士である。このため、このような場合、友人候補紹介部７０は、ユーザ端末２のユーザに、友人候補となる他のユーザ端末２のユーザを紹介しない。一方、車両Ｃの乗車人数が運転者のみであれば、この運転者は、１人で行先へ向かっている。このため、このような場合、友人候補紹介部７０は、友人の紹介を受けようとするユーザ端末２に、友人候補として抽出されたユーザ端末２のユーザのプロフィール情報を提示させる。これにより、友人候補紹介部７０は、車両Ｃの乗車人数に応じて、友人の紹介を受けようとするユーザ端末２に、友人候補として抽出されたユーザ端末２のユーザのプロフィール情報を提示させることができる。
【０１５８】
なお、上記では、車両Ｃの乗車人数が運転者のみである場合に、友人候補紹介部７０は、友人の紹介を受けようとするユーザ端末２に、友人候補として抽出されたユーザ端末２のユーザのプロフィール情報を提示させる例について説明したが、これに限定されない。例えば、友人候補紹介部７０は、車両Ｃの乗車人数と同じ人数の友人候補を紹介するようにしてもよい。また、車両Ｃに乗車している人の性別あるいは年齢等の構成が判別可能である場合には、友人候補紹介部７０は、車両Ｃに乗車している人の性別あるいは年齢等の構成と同一あるいは似ている友人候補を紹介するようにしてもよい。一方、これとは逆に、友人候補紹介部７０は、車両Ｃに乗車している人の性別あるいは年齢等の構成と異なる友人候補を紹介するようにしてもよい。
【０１５９】
[実施の形態９]
図２６は、本実施形態に係る通信システム１８の概略構成を示すブロック図である。すなわち、本実施形態に係る通信システム１８は、図１に示す友人紹介システム４の代わりに、友人紹介システム４ｈを備えている。なお、図２６において、図１と同様の機能を有する構成については、同じ参照符号を付記し、その詳細な説明を省略する。
【０１６０】
友人紹介システム４ｈは、図１に示す友人紹介システム１に加えて、友人結果情報取得部７１、および、友人登録部７２を備えている。なお、上記の友人結果情報取得部７１、および、友人登録部７２は、コンピュータのＣＰＵがこの機能を実現するプログラムに従って動作することによっても具現化される。
【０１６１】
友人結果情報取得部７１は、友人候補として抽出されたユーザ端末２のユーザと友人になったか否かを問い合わせるための質問情報を、友人の紹介を受けようとするユーザ端末２に送信する。図２７は、友人の紹介を受けようとするユーザ端末２の表示部に表示される友人登録画面の一例を示す図である。図２７に示すように、友人の紹介を受けようとするユーザ端末２の表示部には、質問情報として「友人登録画面」が表示されている。「友人登録画面」には、「紹介した人と友人になりましたか？」と、「友人になった人を選択してください。」と、問い合わせに対する回答を入力するための「Ｂさん」、「Ｃさん」、「Ｄさん」の選択ボタンＳと、「登録」ボタンＵとが表示されている。
【０１６２】
図２７に示す「友人登録画面」において、友人の紹介を受けようとするユーザ端末２のユーザが、ユーザ端末２の表示部に表示されている「Ｂさん」、「Ｃさん」、「Ｄさん」の選択ボタンＳを選択し、または、いずれの選択ボタンＳも選択せずに、「登録」ボタンＵを指示すると、ユーザ端末２は、問い合わせに対する回答として得られる友人結果情報を、ネットワークＮを介して友人紹介システム４ｈに送信する。友人結果情報取得部７１は、ユーザ端末２から送信された友人結果情報を取得する。友人結果情報取得部７１は、取得した友人結果情報を友人登録部７２に出力する。
【０１６３】
友人登録部７２は、友人結果情報取得部７１により取得された友人結果情報が、友人候補として抽出されたユーザ端末２のユーザと友人になったことを示している場合、次の処理を行う。すなわち、友人登録部７２は、友人の紹介を受けようとするユーザ端末２のユーザと、友人候補として抽出されたユーザ端末２のユーザとが、コミュニティサイト内において互いに友人関係になるように、ＳＮＳシステム３ａに対して指示する。
【０１６４】
一例として、図２７に示す「友人登録画面」において、友人の紹介を受けようとするユーザ端末２のユーザが、ユーザ端末２の表示部に表示されている「Ｂさん」および「Ｃさん」の選択ボタンを選択し、かつ、「登録」ボタンを指示した場合について説明する。この場合、友人登録部７２は、友人の紹介を受けようとするユーザ端末２のユーザと、友人候補として抽出されたユーザ端末２のユーザ「Ｂさん」とが、コミュニティサイト内において互いに友人関係になるように、ＳＮＳシステム３ａに対して指示する。また、友人登録部７２は、友人の紹介を受けようとするユーザ端末２のユーザと、友人候補として抽出されたユーザ端末２のユーザ「Ｃさん」とが、コミュニティサイト内において互いに友人関係になるように、ＳＮＳシステム３ａに対して指示する。
【０１６５】
以上のように、本実施形態に係る友人紹介システム４ｈによれば、友人結果情報取得部７１は、友人候補として抽出されたユーザ端末２のユーザと友人になったか否かを問い合わせるための質問情報を、友人の紹介を受けようとするユーザ端末２に送信する。また、友人結果情報取得部７１は、問い合わせに対する回答として得られる友人結果情報を、質問情報が送信されたユーザ端末２から取得する。友人結果情報が友人候補として抽出されたユーザ端末のユーザと友人になったことを示している場合、友人登録部７２は、友人の紹介を受けようとするユーザ端末２のユーザと、友人候補として抽出されたユーザ端末２のユーザとが、コミュニティサイト内において互いに友人関係になるように、ＳＮＳシステム３ａに対して指示する。これにより、コミュニティサイト内において、友人の紹介を受けようとするユーザ端末２のユーザと、友人候補として抽出されたユーザ端末２のユーザとが互いに友人関係となるので、例えば、閲覧制限された日記やアルバムの内容、プロフィール情報のうち誕生日や職業等の一部の項目を互いに閲覧することができる。
【０１６６】
[実施の形態１０]
図２８は、本実施形態に係る通信システム１９の概略構成を示すブロック図である。すなわち、本実施形態に係る通信システム１９は、図１に示す友人紹介システム４の代わりに、友人紹介システム４ｉを備えている。なお、図２８において、図１と同様の機能を有する構成については、同じ参照符号を付記し、その詳細な説明を省略する。
【０１６７】
友人紹介システム４ｉは、図１に示す友人紹介システム１に加えて、構築可否情報取得部７３、および、コミュニティ構築部７４を備えている。なお、上記の構築可否情報取得部７３、および、コミュニティ構築部７４は、コンピュータのＣＰＵがこの機能を実現するプログラムに従って動作することによっても具現化される。
【０１６８】
構築可否情報取得部７３は、友人候補として抽出されたユーザ端末２のユーザとコミュニティサイト内でコミュニティを構築するか否かを問い合わせるための質問情報を、友人の紹介を受けようとするユーザ端末２に送信する。図２９は、友人の紹介を受けようとするユーザ端末２の表示部に表示されるコミュニティ作成画面の一例を示す図である。図２９に示すように、友人の紹介を受けようとするユーザ端末２の表示部には、質問情報として「コミュニティ作成画面」が表示されている。「コミュニティ作成画面」には、「紹介した人とコミュニティを作成しますか？」と、コミュニティ名を入力するための入力欄Ｉと、「コミュニティに登録する人を選択してください。」と、問い合わせに対する回答を入力するための「Ｂさん」、「Ｃさん」、「Ｄさん」の選択ボタンＳと、「登録」ボタンＵとが表示されている。
【０１６９】
図２９に示す「コミュニティ作成画面」において、友人の紹介を受けようとするユーザ端末２のユーザが、ユーザ端末２の表示部に表示されている「Ｂさん」、「Ｃさん」、「Ｄさん」の選択ボタンＳを選択し、または、いずれの選択ボタンＳも選択せずに、「登録」ボタンＵを指示すると、ユーザ端末２は、問い合わせに対する回答として得られる構築可否情報を、ネットワークＮを介して友人紹介システム４ｉに送信する。構築可否情報取得部７３は、ユーザ端末２から送信された構築可否情報を取得する。構築可否情報取得部７３は、取得した構築可否情報をコミュニティ構築部７４に出力する。
【０１７０】
コミュニティ構築部７４は、構築可否情報取得部７３により取得された構築可否情報が、友人候補として抽出されたユーザ端末２のユーザとコミュニティサイト内でコミュニティを構築することを示している場合、次の処理を行う。すなわち、コミュニティ構築部７４は、コミュニティサイト内において、友人の紹介を受けようとするユーザ端末２のユーザと、友人候補として抽出されたユーザ端末２のユーザとの間でコミュニティが構築されるように、ＳＮＳシステム３ａに対して指示する。
【０１７１】
一例として、図２９に示す「コミュニティ作成画面」において、友人の紹介を受けようとするユーザ端末２のユーザが、ユーザ端末２の表示部に表示されている「Ｂさん」および「Ｃさん」の選択ボタンＳを選択し、かつ、「登録」ボタンＵを指示した場合について説明する。この場合、コミュニティ構築部７４は、コミュニティサイト内において、友人の紹介を受けようとするユーザ端末２のユーザと、友人候補として抽出されたユーザ端末２のユーザ「Ｂさん」および「Ｃさん」との間でコミュニティが構築されるように、ＳＮＳシステム３ａに対して指示する。
【０１７２】
以上のように、本実施形態に係る友人紹介システム４ｉによれば、構築可否情報取得部７３は、友人候補として抽出されたユーザ端末２のユーザとコミュニティサイト内でコミュニティを構築するか否かを問い合わせるための質問情報を、友人の紹介を受けようとするユーザ端末２に送信する。また、構築可否情報取得部７３は、問い合わせに対する回答として得られる構築可否情報を、質問情報が送信されたユーザ端末２から取得する。構築可否情報が友人候補として抽出されたユーザ端末２のユーザとコミュニティサイト内でコミュニティを構築することを示している場合、コミュニティ構築部７４は、コミュニティサイト内において、友人の紹介を受けようとするユーザ端末２のユーザと、友人候補として抽出されたユーザ端末２のユーザとの間でコミュニティが構築されるように、ＳＮＳシステム３ａに対して指示する。これにより、コミュニティサイト内において、友人の紹介を受けようとするユーザ端末２のユーザと、友人候補として抽出されたユーザ端末２のユーザとの間でコミュニティが構築されるので、例えば、掲示板（トピック）やリアルタイムチャット等を互いに利用することができる。
【０１７３】
[実施の形態１１]
図３０は、本実施形態に係る通信システム２０の概略構成を示すブロック図である。すなわち、本実施形態に係る通信システム２０は、図１に示す友人紹介システム４の代わりに、友人紹介システム４ｊを備えている。なお、図３０において、図１と同様の機能を有する構成については、同じ参照符号を付記し、その詳細な説明を省略する。
【０１７４】
友人紹介システム４ｊは、図１に示すユーザ情報取得部４１および友人候補紹介部５１の代わりに、ユーザ情報取得部７５および友人候補紹介部７９を備えている。また、友人紹介システム４ｊは、図１に示す友人紹介システム１に加えて、行先変更提示部７６、変更頻度算出部７７、および、変更頻度記録部７８を備えている。なお、上記の行先変更提示部７６、および、変更頻度算出部７７は、コンピュータのＣＰＵがこの機能を実現するプログラムに従って動作することによっても具現化される。
【０１７５】
ユーザ情報取得部７５は、友人候補紹介部７９が、友人候補として抽出されたユーザ端末２に、友人の紹介を受けようとするユーザ端末２のユーザのプロフィール情報を提示させた後に、友人の紹介を受けようとするユーザ端末のユーザが行先を変更した場合、次の処理を行う。すなわち、ユーザ情報取得部７５は、友人の紹介を受けようとするユーザ端末２のユーザが変更した行先を示す行先情報を、ネットワークＮを介してユーザ端末２から取得する。ユーザ情報取得部７５は、取得した行先情報を、行先変更提示部７６および変更頻度算出部７７に出力する。
【０１７６】
行先変更提示部７６は、ユーザ情報取得部７５により取得されたユーザ端末２の行先情報に基づいて、友人の紹介を受けようとするユーザ端末２のユーザが行先を変更したことを示す行先変更情報を、友人候補として抽出されたユーザ端末２に送信する。図３１は、友人候補として抽出されたユーザ端末２の表示部に表示される行先変更通知画面の一例を示す図である。図３１に示すように、友人候補として抽出されたユーザ端末２の表示部には、行先変更情報として「行先変更通知画面」が表示されている。「行先変更通知画面」には、「××さんは、行先を○○に変更しました。あなたも、行先を○○に変更しますか？」と、この問い合わせに対する回答を入力するための「はい」の選択ボタンＹおよび「いいえ」の選択ボタンＮとが表示されている。
【０１７７】
図３１に示す「行先変更通知画面」において、友人候補として抽出されたユーザ端末２のユーザが、ユーザ端末２の表示部に表示されている「はい」の選択ボタンＹを指示すると、友人候補として抽出されたユーザ端末２には、友人の紹介を受けようとするユーザ端末２のユーザが変更した行先を示す行先情報が設定される。一方、友人候補として抽出されたユーザ端末２のユーザが、ユーザ端末２の表示部に表示されている「いいえ」の選択ボタンＮを指示すると、友人候補として抽出されたユーザ端末２には、友人の紹介を受けようとするユーザ端末２のユーザが変更した行先を示す行先情報が設定されない。
【０１７８】
変更頻度算出部７７は、友人候補紹介部７９が、友人候補として抽出されたユーザ端末２に、友人の紹介を受けようとするユーザ端末２のユーザのプロフィール情報を提示させた後に、友人の紹介を受けようとするユーザ端末２のユーザが行先を変更した頻度を示す変更頻度を算出する。本実施形態においては、変更頻度算出部７７は、変更頻度として、ユーザ端末２のユーザが行先を変更した回数を算出する。変更頻度算出部７７は、算出した変更頻度を、端末ＩＤに対応付けて変更頻度記録部７８へ記録する。
【０１７９】
図３２は、本実施形態に係る変更頻度記録部７８に記録されたデータの一例を示す図である。図３２に示すように、変更頻度記録部７８には、端末ＩＤ「ＸＸＸ−ＹＹＹ−ＺＺＺＺ」、および、変更頻度「２回」が記録されている。また、変更頻度記録部７８には、端末ＩＤ「ＪＪＪ−ＫＫＫ−ＬＬＬＬ」、および、変更頻度「１４回」が記録されている。さらに、変更頻度記録部７８には、端末ＩＤ「ＭＭＭ−ＮＮＮ−ＰＰＰＰ」、および、変更頻度「５回」が記録されている。
【０１８０】
友人候補紹介部７９は、友人候補抽出部４８により友人候補として抽出されたユーザ端末２の端末ＩＤが複数あった場合、友人の紹介を受けようとするユーザ端末２に、変更頻度の低い順に、友人候補として抽出されたユーザ端末２のユーザのプロフィール情報を提示させる。なお、本実施形態においては、友人候補抽出部４８は、友人の紹介を受けようとするユーザ端末２のユーザの行先「湘南海岸」と同じ行先「湘南海岸」を有するユーザ端末２の端末ＩＤ「ＸＸＸ−ＹＹＹ−ＺＺＺＺ」、端末ＩＤ「ＪＪＪ−ＫＫＫ−ＬＬＬＬ」、および、端末ＩＤ「ＭＭＭ−ＮＮＮ−ＰＰＰＰ」を、ユーザ情報記録部４２から抽出したものとする。
【０１８１】
このため、友人候補紹介部７９は、まず、端末ＩＤ「ＸＸＸ−ＹＹＹ−ＺＺＺＺ」に対応付けられた変更頻度「２回」を、変更頻度記録部７８から抽出する。また、友人候補紹介部７９は、端末ＩＤ「ＪＪＪ−ＫＫＫ−ＬＬＬＬ」に対応付けられた変更頻度「１４回」を、変更頻度記録部７８から抽出する。さらに、友人候補紹介部７９は、端末ＩＤ「ＭＭＭ−ＮＮＮ−ＰＰＰＰ」に対応付けられた変更頻度「５回」を、変更頻度記録部７８から抽出する。端末ＩＤ「ＸＸＸ−ＹＹＹ−ＺＺＺＺ」の変更頻度「２回」、端末ＩＤ「ＭＭＭ−ＮＮＮ−ＰＰＰＰ」の変更頻度「５回」、端末ＩＤ「ＪＪＪ−ＫＫＫ−ＬＬＬＬ」の変更頻度「１４回」の順に変更頻度が低いので、友人候補紹介部７９は、友人の紹介を受けようとするユーザ端末２に、端末ＩＤ「ＸＸＸ−ＹＹＹ−ＺＺＺＺ」、端末ＩＤ「ＭＭＭ−ＮＮＮ−ＰＰＰＰ」、端末ＩＤ「ＪＪＪ−ＫＫＫ−ＬＬＬＬ」の順に、ユーザ端末２のユーザのプロフィール情報を提示させる。
【０１８２】
以上のように、本実施形態に係る友人紹介システム４ｊによれば、行先変更提示部７６は、ユーザ情報取得部７５により取得された行先情報に基づいて、友人候補として抽出されたユーザ端末２に、友人の紹介を受けようとするユーザ端末２のユーザが行先を変更したことを示す行先変更情報を提示させる。これにより、友人候補として抽出されたユーザ端末２のユーザは、友人の紹介を受けようとするユーザ端末２のユーザが行先を変更したことを知ることができる。
【０１８３】
また、本実施形態に係る友人紹介システム４ｊによれば、変更頻度算出部７７は、友人候補紹介部７９が、友人候補として抽出されたユーザ端末２に、友人の紹介を受けようとするユーザ端末２のユーザのプロフィール情報を提示させた後に、友人の紹介を受けようとするユーザ端末２のユーザが行先を変更した頻度を示す変更頻度を算出する。変更頻度算出部７７は、算出した変更頻度を、ユーザ情報に対応付けて変更頻度記録部７８へ記録する。ここで、変更頻度が高ければ、友人の紹介を受けようとするユーザ端末２のユーザは、頻繁に行先を変更している。つまり、友人の紹介を受けようとするユーザ端末２のユーザは、いたずら目的で友人紹介システム４ｊを利用しているといえる。このため、友人候補紹介部７９は、友人の紹介を受けようとするユーザ端末２に、変更頻度の低い順に、友人候補として抽出されたユーザ端末２のユーザのプロフィール情報を提示させる。これにより、友人の紹介を受けようとするユーザ端末２のユーザは、友人紹介システム４ｊをまじめに利用しようとするユーザからプロフィール情報を閲覧することができる。
【０１８４】
なお、本発明は上述した第１〜第１１の実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【０１８５】
以上の実施の形態に関し、更に以下の付記を開示する。
【０１８６】
（付記１）
複数のユーザ端末のそれぞれと、サイトを提供する提供システムとに通信可能な友人紹介システムにおいて、
前記ユーザ端末を識別するユーザ情報を当該ユーザ端末から取得し、前記ユーザ端末のユーザの行先を示す行先情報を当該ユーザ端末または当該友人紹介システムから取得し、取得したユーザ情報および行先情報を、前記ユーザ端末毎にユーザ情報記録部へ記録するユーザ情報取得部と、
前記ユーザ情報記録部に記録された行先情報、および、前記ユーザ端末のユーザが前記サイトに掲載した掲載情報に基づいて、前記ユーザ端末のユーザが行先へ向かう目的を検出し、検出した目的が示す目的情報を、前記ユーザ端末毎に目的情報記録部へ記録する目的判定部と、
前記ユーザ情報記録部に記録された行先情報、および、前記目的情報記録部に記録された目的情報に基づいて、友人の紹介を受けようとするユーザ端末のユーザと同じ行先であって、かつ、同じ目的を有するユーザ端末のユーザ情報を、友人候補として前記ユーザ情報記録部から抽出する友人候補抽出部と、
前記友人候補抽出部により友人候補として抽出されたユーザ端末のユーザ情報に基づいて、友人の紹介を受けようとするユーザ端末に、友人候補として抽出されたユーザ端末のユーザのプロフィールを示すプロフィール情報を提示させる友人候補紹介部とを備える、友人紹介システム。
【０１８７】
（付記２）
前記ユーザ情報取得部は、前記ユーザ端末のユーザが行先に到着すると予想される到着予想時刻、または、前記ユーザ端末のユーザが行先に到着した到着時刻をさらに取得し、取得した到着予想時刻または到着時刻を、前記ユーザ端末毎にユーザ情報記録部へ記録し、
前記友人候補抽出部は、前記ユーザ情報記録部に記録された到着予想時刻または到着時刻に基づいて、友人の紹介を受けようとするユーザ端末のユーザの到着予想時刻が示す時間帯と同じ時間帯を有する到着予想時刻または到着時刻に対応付けられたユーザ端末のユーザ情報を、友人候補として前記ユーザ情報記録部から抽出する、付記１に記載の友人紹介システム。
【０１８８】
（付記３）
友人の紹介を受けようとするユーザ端末に、友人候補として抽出されたユーザ端末のユーザのプロフィール情報を提示してもよいか否かを問い合わせるための質問情報を、友人候補として抽出されたユーザ端末に送信し、かつ、前記問い合わせに対する回答として得られる紹介可否情報を、前記質問情報が送信されたユーザ端末から取得する問い合わせ部をさらに備え、
前記友人候補紹介部は、前記問い合わせ部により取得された紹介可否情報が、友人の紹介を受けようとするユーザ端末に、友人候補として抽出されたユーザ端末のユーザのプロフィール情報を提示してもよい旨を示している場合、友人の紹介を受けようとするユーザ端末に、友人候補として抽出されたユーザ端末のユーザのプロフィール情報を提示させる、付記１または２に記載の友人紹介システム。
【０１８９】
（付記４）
前記ユーザ端末のユーザの自宅から行先までの経路を示す経路情報、および、当該経路情報に対応付けられており、当該行先を示す行先情報を複数組記録する経路情報記録部と、
前記ユーザ端末の現在位置を示す端末位置情報を所定時間毎に取得する位置情報取得部と、
前記位置情報取得部により取得された端末位置情報に基づいて、前記ユーザ端末のユーザの自宅から所定の位置までの経路を判定し、判定した経路と最も類似する経路情報に対応付けられた行先情報を、前記経路情報記録部から抽出する行先判定部とをさらに備え、
前記ユーザ情報取得部は、前記行先判定部により抽出された行先情報を取得する、付記１〜３のいずれか一項に記載の友人紹介システム。
【０１９０】
（付記５）
前記目的情報記録部に記録されたユーザ端末の目的情報が複数あった場合、前記複数の目的情報が示す複数の目的の中から、前記ユーザ端末のユーザが行先へ向かう目的を当該ユーザに選択させるための選択情報を、当該ユーザ端末に提示させる目的選択提示部をさらに備え、
前記友人候補抽出部は、前記ユーザ端末のユーザにより選択された目的が示す目的情報に基づいて、友人の紹介を受けようとするユーザ端末のユーザと同じ目的を有するユーザ端末のユーザ情報を、友人候補として前記ユーザ情報記録部から抽出する、付記１〜４のいずれか一項に記載の友人紹介システム。
【０１９１】
（付記６）
前記目的判定部は、前記目的情報と、当該目的情報を含む掲載情報が前記サイトに掲載された時期を示す掲載時期情報とを対応付けて目的情報記録部へ記録し、
前記目的情報記録部に記録されたユーザ端末の目的情報が複数あった場合、前記複数の目的情報の中から、現在日時が示す時間種情報と同一の時間種情報である掲載時期情報に対応付けられた目的情報を、前記目的情報記録部から抽出する目的情報抽出部をさらに備え、
前記友人候補抽出部は、前記目的情報抽出部により抽出された目的情報に基づいて、友人の紹介を受けようとするユーザ端末のユーザと同じ目的を有するユーザ端末のユーザ情報を、友人候補として前記ユーザ情報記録部から抽出する、付記１〜４のいずれか一項に記載の友人紹介システム。
【０１９２】
（付記７）
前記ユーザ端末のユーザの所持品の情報を示す所持品情報を取得する所持品情報取得部と、
前記目的情報記録部に記録されたユーザ端末の目的情報が複数あった場合、前記複数の目的情報の中から、前記所持品情報取得部により取得された所持品情報に対応する目的情報を、前記目的情報記録部から抽出する目的情報抽出部をさらに備え、
前記友人候補抽出部は、前記目的情報抽出部により抽出された目的情報に基づいて、友人の紹介を受けようとするユーザ端末のユーザと同じ目的を有するユーザ端末のユーザ情報を、友人候補として前記ユーザ情報記録部から抽出する、付記１〜４のいずれか一項に記載の友人紹介システム。
【０１９３】
（付記８）
前記目的情報が前記掲載情報に出現する頻度を示す出現頻度を算出し、算出した出現頻度を、前記目的情報に対応付けて前記目的情報記録部へ記録する出現頻度算出部をさらに備え、
前記友人候補紹介部は、前記友人候補抽出部により友人候補として抽出されたユーザ端末のユーザ情報が複数あった場合、友人の紹介を受けようとするユーザ端末に、前記出現頻度の高い順に、友人候補として抽出されたユーザ端末のユーザのプロフィール情報を提示させる、付記１〜７のいずれか一項に記載の友人紹介システム。
【０１９４】
（付記９）
友人候補として抽出されたユーザ端末のユーザの評価を問い合わせるための質問情報を、友人の紹介を受けようとするユーザ端末に送信し、かつ、前記問い合わせに対する回答として得られる評価情報を、前記質問情報が送信されたユーザ端末から取得する評価情報取得部をさらに備え、
前記友人候補紹介部は、前記友人候補抽出部により友人候補として抽出されたユーザ端末のユーザ情報が複数あった場合、友人の紹介を受けようとするユーザ端末に、前記評価情報の高い順に、友人候補として抽出されたユーザ端末のユーザのプロフィール情報を提示させる、付記１〜８のいずれか一項に記載の友人紹介システム。
【０１９５】
（付記１０）
友人の紹介を受けようとするユーザ端末のユーザが運転する車両の乗車人数を示す乗車人数情報を取得する乗車人数取得部をさらに備え、
前記友人候補紹介部は、前記乗車人数取得部により取得された乗車人数情報が、運転者である友人の紹介を受けようとするユーザ端末のユーザのみを示している場合、友人の紹介を受けようとするユーザ端末に、友人候補として抽出されたユーザ端末のユーザのプロフィール情報を提示させる、付記１〜９のいずれか一項に記載の友人紹介システム。
【０１９６】
（付記１１）
前記提供システムは、コミュニティサイトを提供するコミュニティシステムであって、
友人候補として抽出されたユーザ端末のユーザと友人になったか否かを問い合わせるための質問情報を、友人の紹介を受けようとするユーザ端末に送信し、かつ、前記問い合わせに対する回答として得られる友人結果情報を、前記質問情報が送信されたユーザ端末から取得する友人結果情報取得部と、
前記友人結果情報取得部により取得された友人結果情報が、友人候補として抽出されたユーザ端末のユーザと友人になったことを示している場合、友人の紹介を受けようとするユーザ端末のユーザと、友人候補として抽出されたユーザ端末のユーザとが、前記コミュニティサイト内において互いに友人関係になるように、前記コミュニティシステムに対して指示する友人登録部とをさらに備える、付記１〜１０のいずれか一項に記載の友人紹介システム。
【０１９７】
（付記１２）
前記提供システムは、コミュニティサイトを提供するコミュニティシステムであって、
友人候補として抽出されたユーザ端末のユーザと前記コミュニティサイト内でコミュニティを構築するか否かを問い合わせるための質問情報を、友人の紹介を受けようとするユーザ端末に送信し、かつ、前記問い合わせに対する回答として得られる構築可否情報を、前記質問情報が送信されたユーザ端末から取得する構築可否情報取得部と、
前記構築可否情報取得部により取得された構築可否情報が、友人候補として抽出されたユーザ端末のユーザと前記コミュニティサイト内でコミュニティを構築することを示している場合、前記コミュニティサイト内において、友人の紹介を受けようとするユーザ端末のユーザと、友人候補として抽出されたユーザ端末のユーザとの間でコミュニティが構築されるように、前記コミュニティシステムに対して指示するコミュニティ構築部とをさらに備える、付記１〜１０のいずれか一項に記載の友人紹介システム。
【０１９８】
（付記１３）
前記友人候補紹介部は、友人の紹介を受けようとするユーザ端末のユーザ情報に基づいて、友人候補として抽出されたユーザ端末に、友人の紹介を受けようとするユーザ端末のユーザのプロフィール情報を提示させる、付記１〜１２のいずれか一項に記載の友人紹介システム。
【０１９９】
（付記１４）
前記友人候補紹介部が、友人候補として抽出されたユーザ端末に、友人の紹介を受けようとするユーザ端末のユーザのプロフィール情報を提示させた後に、友人の紹介を受けようとするユーザ端末のユーザが行先を変更した場合、前記ユーザ情報取得部は、前記変更した行先を示す行先情報を取得し、
前記ユーザ情報取得部により取得された行先情報に基づいて、友人候補として抽出されたユーザ端末に、友人の紹介を受けようとするユーザ端末のユーザが行先を変更したことを示す行先変更情報を提示させる行先変更提示部をさらに備える、付記１３に記載の友人紹介システム。
【０２００】
（付記１５）
前記友人候補紹介部が、友人候補として抽出されたユーザ端末に、友人の紹介を受けようとするユーザ端末のユーザのプロフィール情報を提示させた後に、友人の紹介を受けようとするユーザ端末のユーザが行先を変更した頻度を示す変更頻度を算出し、算出した変更頻度を、前記ユーザ情報に対応付けて変更頻度記録部へ記録する変更頻度算出部をさらに備え、
前記友人候補紹介部は、前記友人候補抽出部により友人候補として抽出されたユーザ端末のユーザ情報が複数あった場合、友人の紹介を受けようとするユーザ端末に、前記変更頻度の低い順に、友人候補として抽出されたユーザ端末のユーザのプロフィール情報を提示させる、付記１３または１４に記載の友人紹介システム。
【０２０１】
（付記１６）
複数のユーザ端末のそれぞれと、サイトを提供する提供システムとに通信可能なコンピュータが実行する友人紹介方法において、
前記コンピュータが備えるユーザ情報取得部が、前記ユーザ端末を識別するユーザ情報を当該ユーザ端末から取得し、前記ユーザ端末のユーザの行先を示す行先情報を当該ユーザ端末または当該コンピュータから取得し、取得したユーザ情報および行先情報を、前記ユーザ端末毎にユーザ情報記録部へ記録するユーザ情報取得工程と、
前記コンピュータが備える目的判定部が、前記ユーザ情報記録部に記録された行先情報、および、前記ユーザ端末のユーザが前記サイトに掲載した掲載情報に基づいて、前記ユーザ端末のユーザが行先へ向かう目的を検出し、検出した目的が示す目的情報を、前記ユーザ端末毎に目的情報記録部へ記録する目的判定工程と、
前記コンピュータが備える友人候補抽出部が、前記ユーザ情報記録部に記録された行先情報、および、前記目的情報記録部に記録された目的情報に基づいて、友人の紹介を受けようとするユーザ端末のユーザと同じ行先であって、かつ、同じ目的を有するユーザ端末のユーザ情報を、友人候補として前記ユーザ情報記録部から抽出する友人候補抽出工程と、
前記コンピュータが備える友人候補紹介部が、前記友人候補抽出工程により友人候補として抽出されたユーザ端末のユーザ情報に基づいて、友人の紹介を受けようとするユーザ端末に、友人候補として抽出されたユーザ端末のユーザのプロフィールを示すプロフィール情報を提示させる友人候補紹介工程とを含む、友人紹介方法。
【０２０２】
（付記１７）
複数のユーザ端末のそれぞれと、サイトを提供する提供システムとに通信可能なコンピュータに処理を実行させる友人紹介プログラムにおいて、
前記ユーザ端末を識別するユーザ情報を当該ユーザ端末から取得し、前記ユーザ端末のユーザの行先を示す行先情報を当該ユーザ端末または当該コンピュータから取得し、取得したユーザ情報および行先情報を、前記ユーザ端末毎にユーザ情報記録部へ記録するユーザ情報取得処理と、
前記ユーザ情報記録部に記録された行先情報、および、前記ユーザ端末のユーザが前記サイトに掲載した掲載情報に基づいて、前記ユーザ端末のユーザが行先へ向かう目的を検出し、検出した目的が示す目的情報を、前記ユーザ端末毎に目的情報記録部へ記録する目的判定処理と、
前記ユーザ情報記録部に記録された行先情報、および、前記目的情報記録部に記録された目的情報に基づいて、友人の紹介を受けようとするユーザ端末のユーザと同じ行先であって、かつ、同じ目的を有するユーザ端末のユーザ情報を、友人候補として前記ユーザ情報記録部から抽出する友人候補抽出処理と、
前記友人候補抽出処理により友人候補として抽出されたユーザ端末のユーザ情報に基づいて、友人の紹介を受けようとするユーザ端末に、友人候補として抽出されたユーザ端末のユーザのプロフィールを示すプロフィール情報を提示させる友人候補紹介処理とを前記コンピュータに実行させる、友人紹介プログラム。
【産業上の利用可能性】
【０２０３】
以上のように、本発明は、ユーザ端末のユーザの手間をかけることなく、ユーザ端末のユーザの行先および行先へ向かう目的に応じて、ユーザ端末のユーザに、友人候補となる他のユーザ端末のユーザを紹介することができる友人紹介システム、友人紹介方法、または、友人紹介プログラムとして有用である。
【図面の簡単な説明】
【０２０４】
【図１】本発明の第１の実施形態に係る通信システムの概略構成を示すブロック図である。
【図２】上記通信システムの友人紹介システムにおけるユーザ情報記録部に記録されたデータの一例を示す図である。
【図３】上記友人紹介システムのキーワード記録部に記録されたデータの一例を示す図である。
【図４】ユーザ端末のユーザにより掲載された掲載情報と、上記キーワード記録部に記録された行先情報および目的キーワードとを比較している状態を示す概念図である。
【図５】上記友人紹介システムの目的情報記録部に記録されたデータの一例を示す図である。
【図６】友人候補として抽出されたユーザ端末の表示部に表示される紹介可否入力画面の一例を示す図である。
【図７】友人の紹介を受けようとするユーザ端末の表示部に表示される友人紹介画面の一例を示す図である。
【図８】端末ＩＤおよびＳＮＳ情報を、上記友人紹介システムのユーザ情報記録部へ記録するための、上記通信システムの動作の一例を示すシーケンス図である。
【図９】ユーザ端末の表示部に表示される友人紹介システム設定画面の一例を示す図である。
【図１０】ユーザ端末から行先情報および到着予想時刻を取得した場合の、上記通信システムの動作の一例を示すシーケンス図である。
【図１１】ユーザ端末から要求情報を受信した場合の、上記通信システムの動作の一例を示すシーケンス図である。
【図１２】本発明の第２の実施形態に係る通信システムの概略構成を示すブロック図である。
【図１３】上記通信システムの友人紹介システムにおける経路情報記録部に記録されたデータの一例を示す図である。
【図１４】本発明の第３の実施形態に係る通信システムの概略構成を示すブロック図である。
【図１５】ユーザ端末の表示部に表示される目的選択画面の一例を示す図である。
【図１６】本発明の第４の実施形態に係る通信システムの概略構成を示すブロック図である。
【図１７】上記通信システムの友人紹介システムにおける目的情報記録部に記録されたデータの一例を示す図である。
【図１８】本発明の第５の実施形態に係る通信システムの概略構成を示すブロック図である。
【図１９】上記通信システムの友人紹介システムにおける対応関係記録部に記録されたデータの一例を示す図である。
【図２０】本発明の第６の実施形態に係る通信システムの概略構成を示すブロック図である。
【図２１】上記通信システムの友人紹介システムにおける目的情報記録部に記録されたデータの一例を示す図である。
【図２２】本発明の第７の実施形態に係る通信システムの概略構成を示すブロック図である。
【図２３】友人の紹介を受けようとするユーザ端末の表示部に表示される友人候補評価画面の一例を示す図である。
【図２４】上記通信システムの友人紹介システムにおける評価情報記録部に記録されたデータの一例を示す図である。
【図２５】本発明の第８の実施形態に係る通信システムの概略構成を示すブロック図である。
【図２６】本発明の第９の実施形態に係る通信システムの概略構成を示すブロック図である。
【図２７】友人の紹介を受けようとするユーザ端末の表示部に表示される友人登録画面の一例を示す図である。
【図２８】本発明の第１０の実施形態に係る通信システムの概略構成を示すブロック図である。
【図２９】友人の紹介を受けようとするユーザ端末の表示部に表示されるコミュニティ作成画面の一例を示す図である。
【図３０】本発明の第１１の実施形態に係る通信システムの概略構成を示すブロック図である。
【図３１】友人候補として抽出されたユーザ端末の表示部に表示される行先変更通知画面の一例を示す図である。
【図３２】上記通信システムの友人紹介システムにおける変更頻度記録部に記録されたデータの一例を示す図である。
【符号の説明】
【０２０５】
２ａ、２ｂ  ユーザ端末
３ａ  ＳＮＳシステム（提供システム、コミュニティシステム）
３ｂ  ブログシステム（提供システム）
４、４ａ〜４ｊ  友人紹介システム
４１、７５  ユーザ情報取得部
４２  ユーザ情報記録部
４５、６３  目的判定部
６３ａ  出現頻度算出部
４６、６４  目的情報記録部
４８  友人候補抽出部
５０  問い合わせ部
５１、６５、６８、７０、７９  友人候補紹介部
５２  位置情報取得部
５４  経路情報記録部
５５  行先判定部
５６  目的選択提示部
５８  目的情報記録部
５９、６２  目的情報抽出部
６０  所持品情報取得部
６６  評価情報取得部
６７  評価情報記録部
６９  乗車人数取得部
７１  友人結果情報取得部
７２  友人登録部
７３  構築可否情報取得部
７４  コミュニティ構築部
７６  行先変更提示部
７７  変更頻度算出部
７８  変更頻度記録部
【図１】
0004856048.tif 000002
【図２】
0004856048.tif 000003
【図３】
0004856048.tif 000004
【図４】
0004856048.tif 000005
【図５】
0004856048.tif 000006
【図６】
0004856048.tif 000007
【図７】
0004856048.tif 000008
【図８】
0004856048.tif 000009
【図９】
0004856048.tif 000010
【図１０】
0004856048.tif 000011
【図１１】
0004856048.tif 000012
【図１２】
0004856048.tif 000013
【図１３】
0004856048.tif 000014
【図１４】
0004856048.tif 000015
【図１５】
0004856048.tif 000016
【図１６】
0004856048.tif 000017
【図１７】
0004856048.tif 000018
【図１８】
0004856048.tif 000019
【図１９】
0004856048.tif 000020
【図２０】
0004856048.tif 000021
【図２１】
0004856048.tif 000022
【図２２】
0004856048.tif 000023
【図２３】
0004856048.tif 000024
【図２４】
0004856048.tif 000025
【図２５】
0004856048.tif 000026
【図２６】
0004856048.tif 000027
【図２７】
0004856048.tif 000028
【図２８】
0004856048.tif 000029
【図２９】
0004856048.tif 000030
【図３０】
0004856048.tif 000031
【図３１】
0004856048.tif 000032
【図３２】
0004856048.tif 000033